(57)【要約】【課題】画像書き込みのための駆動操作とは異なる、別個独立した新たな反射率制御の手法を採り入れ、従来公知の手法と組み合わせることで、多様な反射率制御を可能とする反射型液晶表示素子の駆動方法および駆動装置を提供する。【解決手段】一対の電極５，６間に、コレステリック液晶を含む選択反射層７ａ，７ｂが挟持されてなる反射型液晶表示素子に画像を記録するため、選択反射層７ａ，７ｂにおける所定の動作閾値を超える電圧Ｖ１Hおよび超えない電圧Ｖ１Lを含む２種類以上の大きさの電圧を選択反射層７ａ，７ｂに所定時間選択的に印加し、前記動作閾値を超える部位または超えない部位の選択を行う書き込み工程と、それに続いて連続的に、電圧Ｖ１Hおよび電圧Ｖ１Lの周波数とは異なる周波数の電圧Ｖ２を選択反射層７ａ，７ｂに印加する調整電圧印加工程と、を含むことを特徴とする反射型液晶表示素子の駆動方法および駆動装置である。【選択図】図３
2007334254.tif 000002
【特許請求の範囲】
【請求項１】
一対の電極間に、コレステリック液晶を含み所定の波長の光を選択反射する１層または２層以上の選択反射層が挟持されてなる反射型液晶表示素子に、画像を記録するための反射型液晶表示素子の駆動方法であって、
前記選択反射層における所定の動作閾値を超える電圧Ｖ１Hおよび超えない電圧Ｖ１Lを含む２種類以上の大きさの電圧を前記選択反射層に所定時間ＴV1選択的に印加して、前記選択反射層における前記動作閾値を超える部位または超えない部位の選択を行う書き込み工程と、
さらに当該書き込み工程に続いて連続的に、電圧Ｖ１HおよびＶ１Lの周波数とは異なる周波数の電圧Ｖ２を前記選択反射層に印加する調整電圧印加工程と、
を含むことを特徴とする反射型液晶表示素子の駆動方法。
【請求項２】
前記調整電圧印加工程における電圧Ｖ２が、一方の極性の半周期パルスであることを特徴とする請求項１に記載の反射型液晶表示素子の駆動方法。
【請求項３】
前記調整電圧印加工程における電圧Ｖ２の印加時間ＴV2が、書き込み工程で印加した電圧Ｖ１HおよびＶ１Lの印加時間ＴV1よりも短い（ＴV1＞ＴV2）ことを特徴とする請求項１または２に記載の反射型液晶表示素子の駆動方法。
【請求項４】
各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層されてなる反射型液晶表示素子を、画像を記録する対象とし、
前記書き込み工程が、当該工程における前記動作閾値が前記いずれかの選択反射層の上閾値であり、電圧Ｖ１Hおよび電圧Ｖ１Lを含む２種類以上の電圧を前記各選択反射層に印加することで、前記各選択反射層における前記上閾値を超える部位または超えない部位の選択を行う工程であり、
前記調整電圧印加工程に引き続き、前記書き込み工程で上閾値として選択された選択反射層以外のいずれかの選択反射層の下閾値を超える電圧Ｖ３Hおよび超えない電圧Ｖ３Lを含む２種類以上の大きさの電圧を前記各選択反射層に印加することで、前記各選択反射層における前記下閾値を超える部位または超えない部位の選択を行う第２の書き込み工程を含むことを特徴とする請求項１〜３のいずれかに記載の反射型液晶表示素子の駆動方法。
【請求項５】
積層された前記複数の選択反射層の一方の面に光導電体層が積層されて、これらが前記一対の電極間に挟持されてなる光書き込み型の反射型液晶表示素子を、画像を記録する対象とし、
前記書き込み工程が、アドレス光の露光時に電圧Ｖ１H、非露光時に電圧Ｖ１Lが前記選択反射層に分圧印加されるバイアス電圧Ｖ１を前記一対の電極に印加しつつ適宜アドレス光を選択露光する工程であり、
前記第２の書き込み工程が、アドレス光の露光時に電圧Ｖ３H、非露光時に電圧Ｖ３Lが前記選択反射層に分圧印加されるバイアス電圧Ｖ３を前記一対の電極に印加しつつ適宜アドレス光を選択露光する工程であることを特徴とする請求項４に記載の反射型液晶表示素子の駆動方法。
【請求項６】
前記電圧Ｖ３HおよびＶ３Lの周波数が、前記電圧Ｖ１HおよびＶ１Lの周波数に比して小さいことを特徴とする請求項４または５に記載の反射型液晶表示素子の駆動方法。
【請求項７】
前記電圧Ｖ３Hおよび電圧Ｖ３Lの周波数ＦV3が、０〜１００Ｈｚの範囲内であることを特徴とする請求項６に記載の反射型液晶表示素子の駆動方法。
【請求項８】
前記選択反射層が、２層構成または３層構成であることを特徴とする請求項４または５に記載の反射型液晶表示素子の駆動方法。
【請求項９】
１層のみからなる前記選択反射層とともに光導電体層が積層されて、これらが前記一対の電極間に挟持されてなる光書き込み型の反射型液晶表示素子を、画像を記録する対象とし、
前記書き込み工程が、アドレス光の露光時に電圧Ｖ１H、非露光時に電圧Ｖ１Lが前記選択反射層に分圧印加されるバイアス電圧Ｖ１を、前記一対の電極に印加しつつ適宜アドレス光を選択露光することで、前記選択反射層における前記閾値を超える部位と超えない部位との選択を行う工程であり、
前記調整電圧印加工程で印加する電圧Ｖ２の印加時間ＴV2が、書き込み工程で印加した電圧Ｖ１の印加時間ＴV1よりも短い（ＴV1＞ＴV2）ことを特徴とする請求項１〜３のいずれかに記載の反射型液晶表示素子の駆動方法。
【請求項１０】
前記光導電体層が、有機光導電体からなることを特徴とする請求項５または９に記載の反射型液晶表示素子の駆動方法。
【請求項１１】
１層または２層以上の前記選択反射層が、高分子中に前記コレステリック液晶が分散されてなることを特徴とする請求項１〜１０のいずれかに記載の反射型液晶表示素子の駆動方法。
【請求項１２】
一対の電極間に、コレステリック液晶を含み所定の波長の光を選択反射する少なくとも１層または２層以上の選択反射層が挟持されてなる反射型液晶表示素子に、画像を記録するための反射型液晶表示素子の駆動装置であって、少なくとも、前記一対の電極間に電圧を印加し得る電源装置を含み、
前記選択反射層における所定の動作閾値を超える電圧Ｖ１Hおよび超えない電圧Ｖ１Lを含む２種類以上の大きさの電圧を前記選択反射層に所定時間ＴV1選択的に印加し得るバイアス電圧を前記一対の電極間に印加して、前記選択反射層における前記動作閾値を超える部位または超えない部位の選択を行う書き込み動作と、
電圧Ｖ１HおよびＶ１Lの周波数とは異なる周波数の電圧Ｖ２を前記選択反射層に印加し得る電圧を前記一対の電極間に印加する調整電圧印加動作と、
の各動作が順次為されることを特徴とする反射型液晶表示素子の駆動装置。
【請求項１３】
前記調整電圧印加動作における電圧Ｖ２が、１パルスの半波長分であることを特徴とする請求項１２に記載の反射型液晶表示素子の駆動装置。
【請求項１４】
各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層されてなる反射型液晶表示素子を、画像を記録する対象とし、
前記書き込み動作が、当該工程における前記動作閾値が前記いずれかの選択反射層の上閾値であり、電圧Ｖ１Hおよび電圧Ｖ１Lを含む２種類以上の電圧を前記選択反射層に印加し得る電圧を前記一対の電極間に印加することで、前記選択反射層における前記上閾値を超える部位または超えない部位の選択を行う動作であり、
前記調整電圧印加動作に引き続き、前記書き込み動作で上閾値として選択された選択反射層以外のいずれかの選択反射層の下閾値を超える電圧Ｖ３Hおよび超えない電圧Ｖ３Lを含む２種類以上の大きさの電圧を前記選択反射層に印加し得る電圧を前記一対の電極間に印加することで、前記選択反射層における前記下閾値を超える部位または超えない部位の選択を行う第２の書き込み動作が為されることを特徴とする請求項１２または１３に記載の反射型液晶表示素子の駆動装置。
【請求項１５】
各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層され、その一方の面に光導電体層が積層されて、これらが一対の電極間に挟持されてなる光書き込み型の反射型液晶表示素子に、画像を記録するための反射型液晶表示素子の駆動装置であって、少なくとも、前記一対の電極間に電圧を印加し得る電源装置と、前記反射型液晶表示素子を露光し得る露光装置とからなり、
前記複数の選択反射層における前記いずれかの選択反射層の上閾値をアドレス光の露光時に超える電圧Ｖ１H、非露光時に超えない電圧Ｖ１Lが前記選択反射層に分圧印加されるバイアス電圧Ｖ１を前記一対の電極に所定時間ＴV1印加しつつ適宜アドレス光を選択露光する書き込み動作と、
電圧Ｖ１の周波数とは異なる周波数の電圧Ｖ２を前記選択反射層に印加し得るバイアス電圧を前記一対の電極間に印加する調整電圧印加動作と、
前記書き込み動作で上閾値として選択された選択反射層以外のいずれかの選択反射層の下閾値をアドレス光の露光時に超える電圧Ｖ３H、非露光時に超えない電圧Ｖ３Lが前記選択反射層に分圧印加されるバイアス電圧Ｖ３を前記一対の電極間に印加することで、前記選択反射層における前記下閾値を超える部位または超えない部位の選択を行う第２の書き込み動作と、
の各動作が順次為されることを特徴とする反射型液晶表示素子の駆動装置。
【請求項１６】
前記電圧Ｖ３HおよびＶ３Lの周波数が、前記電圧Ｖ１HおよびＶ１Lの周波数に比して小さいことを特徴とする請求項１４または１５に記載の反射型液晶表示素子の駆動装置。
【請求項１７】
前記電圧Ｖ３Hおよび電圧Ｖ３Lの周波数ＦV3が、０〜１００Ｈｚの範囲内であることを特徴とする請求項１６に記載の反射型液晶表示素子の駆動装置。
【請求項１８】
前記選択反射層が、２層構成または３層構成であることを特徴とする請求項１４または１５に記載の反射型液晶表示素子の駆動装置。
【請求項１９】
１層のみからなる前記選択反射層とともに光導電体層が積層されて、これらが前記一対の電極間に挟持されてなる光書き込み型の反射型液晶表示素子を、画像を記録する対象とし、
前記書き込み動作が、アドレス光の露光時に電圧Ｖ１H、非露光時に電圧Ｖ１Lが前記選択反射層に分圧印加されるバイアス電圧Ｖ１を、前記一対の電極に印加しつつ適宜アドレス光を選択露光することで、前記選択反射層における前記閾値を超える部位と超えない部位との選択を行う動作であり、
前記調整電圧印加動作で印加する電圧Ｖ２の印加時間ＴV2が書き込み工程で印加した電圧Ｖ１の印加時間ＴV1よりも短い（ＴV1＞ＴV2）ことを特徴とする請求項１２または１３に記載の反射型液晶表示素子の駆動装置。
【請求項２０】
前記光導電体層が、有機光導電体からなることを特徴とする請求項１５または１９に記載の反射型液晶表示素子の駆動装置。
【請求項２１】
１層または２層以上の前記選択反射層が、高分子中に前記コレステリック液晶が分散されてなることを特徴とする請求項１２〜２０のいずれかに記載の反射型液晶表示素子の駆動装置。
【発明の詳細な説明】
【技術分野】
【０００１】
本発明は、液晶を含む複数の選択反射層からなり２色以上の画像を表示し記録する反射型液晶表示素子に、像を書き込むための駆動方法および駆動装置に関する。
【背景技術】
【０００２】
森林資源保護などの地球環境保全や、スペースセーブといった事務環境改善などの理由から、紙に替わるハードコピー技術として、リライタブルマーキング技術への期待が大きい。
一方、反射型液晶表示素子は、バックライトのような専用の光源を必要とせず、消費電力が少ないとともに、偏平小型に構成できることから、小型情報機器や携帯情報端末などの表示装置として注目されている。
【０００３】
リライタブルマーキング技術に対しても、反射型液晶表示素子を利用した技術が様々に提案されている。中でも、本発明者らによる積層型光変調素子を用いた閾値シフト法による画像書き込みおよび表示は、１つの駆動信号により２層の表示層を独立に制御することができるため、媒体の構造を簡略化し、製造コストを低減できるという多大なメリットがある（特許文献１および特許文献２参照）。すなわち、閾値シフト法によれば、簡易的かつ低コストでフルカラーを含む２色以上の画像を表示し記録することができるという卓越した効果を有する。
【０００４】
閾値シフト法による画像書き込みおよび表示の原理について説明する。
図２４は、閾値シフト法による画像書き込みの様子を説明するための模式断面図である。積層型光変調素子１０１は、一対の透明電極１０５および透明電極１０６間に、コレステリック液晶からなる２層の表示層１０７ａおよび１０７ｂが、主として積層されてなる。
【０００５】
正の誘電率異方性を有するコレステリック液晶は、図２５（Ａ）に示すように、螺旋軸がセル表面に垂直になり、入射光に対して上記の選択反射現象を起こすプレーナ相、図２５（Ｂ）に示すように、螺旋軸がほぼセル表面に平行になり、入射光を少し前方散乱させながら透過させるフォーカルコニック相、および図２５（Ｃ）に示すように、螺旋構造がほどけて液晶ダイレクタが電界方向を向き、入射光をほぼ完全に透過させるホメオトロピック相、の３つの状態を示す。
【０００６】
上記の３つの状態のうち、プレーナ相とフォーカルコニック相は、無電界で双安定に存在することができる。したがって、コレステリック液晶の相状態は、液晶層に印加される電界強度に対して一義的に決まらず、プレーナ相が初期状態の場合には、電界強度の増加に伴って、プレーナ相、フォーカルコニック相、ホメオトロピック相の順に変化し、フォーカルコニック相が初期状態の場合には、電界強度の増加に伴って、フォーカルコニック相、ホメオトロピック相の順に変化する。
【０００７】
一方、液晶層に印加した電界強度を急激にゼロにした場合には、プレーナ相とフォーカルコニック相はそのままの状態を維持し、ホメオトロピック相はプレーナ相に変化する。
したがって、パルス信号を印加した直後のコレステリック液晶層は、図２６に示すようなスイッチング挙動を示し、印加されたパルス信号の電圧が、Ｖｆｈ，９０以上のときには、ホメオトロピック相からプレーナ相に変化した選択反射状態となり、Ｖｐｆ，１０とＶｆｈ，１０の間のときには、フォーカルコニック相による透過状態となり、Ｖｐｆ，９０以下のときには、パルス信号印加前の状態を継続した状態、すなわちプレーナ相による選択反射状態またはフォーカルコニック相による透過状態となる。
【０００８】
なお、図中、縦軸は正規化反射率であり、最大反射率を１００、最小反射率を０として、反射率を正規化している。また、プレーナ相、フォーカルコニック相およびホメオトロピック相の各状態間には、遷移領域が存在するため、正規化反射率が９０以上の場合を選択反射状態、正規化反射率が１０以下の場合を透過状態と定義し、プレーナ相とフォーカルコニック相の相変化のしきい電圧を、遷移領域の前後に対して、それぞれＶｐｆ，９０、Ｖｐｆ，１０とし、フォーカルコニック相とホメオトロピック相の相変化のしきい電圧を、遷移領域の前後に対して、それぞれＶｆｈ，１０、Ｖｆｈ，９０とする。
【０００９】
特に、コレステリック液晶に高分子を添加したＰＮＬＣ（Ｐｏｌｙｍｅｒ−Ｎｅｔｗｏｒｋｅｄ Ｌｉｑｕｉｄ Ｃｒｙｓｔａｌ）構造またはＰＤＬＣ（Ｐｏｌｙｍｅｒ−Ｄｉｓｐｅｒｓｅｄ Ｌｉｑｕｉｄ Ｃｒｙｓｔａｌ）構造の液晶層においては、コレステリック液晶と高分子の界面における干渉により（アンカリング効果）、プレーナ相とフォーカルコニック相の無電界における双安定性が向上し、長期間に渡ってパルス信号印加直後の状態を保持することができる。
【００１０】
当該技術による積層型光変調素子では、このコレステリック液晶の双安定現象を利用して、（Ａ）プレーナ相による選択反射状態と、（Ｂ）フォーカルコニック相による透過状態とを、各層ごとに独立して、しかも１つの信号でスイッチングすることによって、無電界でのメモリ性を有するカラー表示を行う。
【００１１】
閾値シフト法による画像書き込みに供される積層型光変調素子１０１においては、表示層１０７ａと表示層１０７ｂとでコレステリック液晶の動作閾値を異ならせることで、透明電極１０５および透明電極１０６への印加電圧に応じていずれか任意の一方もしくは双方の表示層を反射状態、または双方を透過状態とすることができるように構成されている。
【００１２】
図２７に、表示層１０７ａおよび表示層１０７ｂのコレステリック液晶のスイッチング挙動を示すグラフを挙げる。図２７に示されるように、表示層１０７ａおよび表示層１０７ｂのいずれのコレステリック液晶についても、電源装置１１７による外部印加電圧が大きくなってくると、プレーナ相の選択反射状態あるいはフォーカルコニック相の透過状態からフォーカルコニック相による透過状態となり、さらに大きくなるとフォーカルコニック相からホメオトロピック相に相変化し、印加電圧の解除と共にプレーナ相に相変化して選択反射状態になる。
【００１３】
しかし、この相変化を生じる閾値の電圧については、図２７に示されるグラフからわかるように表示層１０７ａと表示層１０７ｂとでずれている。すなわち、プレーナ相からフォーカルコニック相への相変化の閾値電圧（本発明においては、これを「下閾値」と称している。）については、表示層１０７ａがＶｐｆａに対して表示層１０７ｂがＶｐｆｂと、表示層１０７ｂのコレステリック液晶の方が高い値となっている。一方、フォーカルコニック相からホメオトロピック相への相変化の閾値電圧（本発明においては、これを「上閾値」と称している。）については、表示層１０７ａがＶｆｐａに対して表示層１０７ｂがＶｆｐｂと、こちらも表示層１０７ｂのコレステリック液晶の方が高い値となっている。
【００１４】
この閾値の違いを利用して、表示層１０７ａおよび表示層１０７ｂを独立して制御するように構成したものが、閾値シフト法である。
詳しくは、まず表示層１０７ｂの上閾値Ｖｆｐｂより低く表示層１０７ａの上閾値Ｖｆｐａより高いＶｃ間の電圧、または表示層１０７ｂの上閾値Ｖｆｐｂより高いＶｄ間の電圧を電源装置１１７により選択的に印加する。Ｖｃ間の電圧を印加した部位は、表示層１０７ｂがフォーカルコニック相で、表示層１０７ａがホメオトロピック相の状態となる。一方、Ｖｄ間の電圧を印加した部位は、表示層１０７ａはＶｃ間の場合と同じくホメオトロピック相の状態であるが、表示層１０７ｂにおいては上閾値Ｖｐｆｂを超えるため、ホメオトロピック相に相変化する。
【００１５】
つまり、電源装置１１７による印加電圧をＶｃ間とするかＶｄ間とするかを選択することで、表示層１０７ｂの相の状態について、フォーカルコニック相とホメオトロピック相のいずれかの選択が為される。この状態で電圧印加を急速に解除すると、ホメオトロピック相はプレーナ相に変化し、フォーカルコニック相はその状態を維持する。一方、表示層１０７ａは、電圧印加の解除前には、いずれの印加電圧であってもホメオトロピック相となっており、電圧印加の急速解除によって、全てプレーナ相に変化する。
【００１６】
その後、表示層１０７ａの下閾値Ｖｐｆａよりも低いＶａ間の電圧、または表示層１０７ａの下閾値Ｖｐｆａよりも高く表示層１０７ｂの下閾値Ｖｆｐｂより低いＶｂ間の電圧を電源装置１１７により選択的に印加する。表示層１０７ａでは、Ｖｂ間の電圧を印加した部位は下閾値Ｖｐｆａを超え、フォーカルコニック相に相変化し、Ｖａ間の電圧を印加した部位は下閾値Ｖｐｆａを超えないため、プレーナ相状態を維持する。一方、表示層１０７ｂでは、いずれの印加電圧であっても下閾値Ｖｆｐｂよりも低いため、上述の如く上閾値で選択されたプレーナ相またはフォーカルコニック相の状態を維持する。
このようにして、表示層１０７ａの部位ごとに、相が選択されて書き込みが為される。
【００１７】
すなわち、表示層１０７ａおよび表示層１０７ｂのうち任意の一方もしくは双方を反射状態、または双方を透過状態とすることができ、表示側から反射画像が表示される。従って、１つの駆動信号により２層の表示層を独立に制御することができるため、媒体の構造を簡略化し、製造コストを低減することができる。
【００１８】
なお、閾値シフト法による駆動の一つの態様として、積層型光変調素子に光導電層を含む構成のものを用い、光書き込みによるスイッチングを可能とした方法がある。図２８は、光導電層を含む積層型光変調素子に対する閾値シフト法による画像書き込みの様子を説明するための模式説明図である。図２８に示される積層型光変調素子１１１、図２４に示される積層型光変調素子１０１と同様、一対の透明電極１０５および透明電極１０６間に、２層の表示層１０７ａおよび１０７ｂが積層されているほか、表示層１０７ｂと透明電極１０６との間に、光導電体層１１０が積層されている。なお、当該光導電体層１１０と表示層１０７ｂとの間に着色層１０９が配されている。
【００１９】
本例においては、まず表示層１０７ｂの上閾値Ｖｆｐｂより低く表示層１０７ａの上閾値Ｖｆｐａより高いＶｃ間の電圧（リセット電圧）が表示層全体にかかるようなバイアス電圧を電源装置１１７により印加しつつ、それと同時に、露光装置１１２で選択的に露光して、露光部における光導電体層１１０の抵抗値を変化（低下）させることで表示層１０７ａおよび表示層１０７ｂの分圧を上昇させる。これにより、露光部では、表示層１０７ａおよび表示層１０７ｂにかかる電圧が上閾値電圧Ｖｐｆｂを超える。すなわち、露光部はＶｄ間の電圧を印加した状態となり、非露光部は勿論Ｖｃ間の電圧のままとなる。従って、図２４を用いて説明した電圧の大きさで選択的にスイッチングさせた構成と同様の液晶の相変化の選択を、露光のオンオフにより実施することができる。
【００２０】
上記スイッチングの原理は、下閾値についても同様である。すなわち、表示層全体にかかる電圧が、表示層１０７ａの下閾値Ｖｐｆａよりも低いＶａ間になるようなバイアス電圧を電源装置１１７により印加しておき、選択的に露光することにより下閾値Ｖｐｆａを超える部分と越えない部分とで液晶の相変化を選択することができる。
すなわち、光導電層を含む積層型光変調素子について、閾値シフト法による駆動を行う際には、上閾値および下閾値それぞれについて所定の電圧を印加しこれを維持しながら選択的に露光することで書き込みを実現することができる。
【００２１】
上記閾値シフト法を用いて、複数の表示層を独立に駆動するための動作マージン（端的に言えば、各表示層間の上下閾値電圧の開き。図２７で言えば、ＶｂおよびＶｃの幅。）を大きくするためには、一般には各表示層間の動作閾値電界比、もしくは、それぞれの表示層の誘電率および膜厚により決まる各表示層への印加電界比を大きくすることが考えられる。
【００２２】
しかし、一般にコレステリック液晶には、比誘電率と屈折率異方性Δｎとの間、および、屈折率異方性Δｎと反射率との間に相関があるため、各表示層間の誘電率比を大きくとった場合、低誘電率側の表示層の明度が得られにくい。また、コレステリック液晶は比誘電率の増加に伴い閾値電界が小さくなる傾向があり、各表示層への印加電界と各表示層の閾値電界の逆転が生じやすく、動作マージンの拡大が困難である。
【００２３】
ところで、反射型液晶表示素子において、プレーナ相による選択反射とフォーカルコニック相による選択透過との間のコントラストは、鮮明な表示画像を形成する上で極めて重要であり、プレーナ相状態ではできる限り高い反射率となるように、フォーカルコニック相状態ではできる限り反射率がゼロに近づくようにすることが望まれる。
【００２４】
液晶材料によっては、含有する水分やイオンなどの影響により、書き込みに高周波パルスを印加した方が高い反射率が得られることがある。しかし、液晶層（選択反射層）とＯＰＣ層（有機光導電層）とを積層した光書き込み型の反射型液晶表示素子においては、書き込みに高周波パルスを印加すると、液晶層とＯＰＣ層との間で分圧比が抵抗分圧に緩和しないため、十分な明暗コントラスト比を得ることが困難な場合があった。
【００２５】
【特許文献１】特開平１０−１７７１９１号公報
【特許文献２】特開２０００−１１１９４２号公報
【発明の開示】
【発明が解決しようとする課題】
【００２６】
したがって、本発明は、反射型液晶表示素子に対する画像書き込みのための駆動操作とは異なる、別個独立した新たな反射率制御の手法を採り入れることで、多様な反射率制御を可能とする反射型液晶表示素子の駆動方法、および反射型液晶表示素子の駆動装置を提供することを目的とする。
【課題を解決するための手段】
【００２７】
上記目的は、以下の本発明により達成される。すなわち本発明は、一対の電極間に、コレステリック液晶を含み所定の波長の光を選択反射する１層または２層以上の選択反射層が挟持されてなる反射型液晶表示素子に、画像を記録するための反射型液晶表示素子の駆動方法であって、
前記選択反射層における所定の動作閾値を超える電圧Ｖ１Hおよび超えない電圧Ｖ１Lを含む２種類以上の大きさの電圧を前記選択反射層に所定時間ＴV1選択的に印加して、前記選択反射層における前記動作閾値を超える部位または超えない部位の選択を行う書き込み工程と、
さらに当該書き込み工程に続いて連続的に、電圧Ｖ１HおよびＶ１Lの周波数とは異なる周波数の電圧Ｖ２を前記選択反射層に印加する調整電圧印加工程と、
を含むことを特徴とする。
【００２８】
本発明は、後述する通り、書き込みのための電圧印加に続いて連続的に、それとは周波数の異なる電圧（以下、これを「調整電圧」という場合がある。）を前記選択反射層に印加する調整電圧印加工程における操作（以下、単に「調整電圧印加操作」という場合がある。）により、液晶組成に応じた多様な反射率の制御を可能とするものである。
【００２９】
液晶組成と調整電圧との組み合わせに応じて、選択反射層の相状態を変化させたり、あるいは、反射率を変化させたりすることができるようになる。
このように、反射型液晶表示素子に対する画像書き込みのための駆動操作とは異なる、別個独立した新たな反射率制御の手法である調整電圧印加操作においては、液晶組成と、調整電圧の印加条件を選択することにより、選択反射層の反射状態を制御することができる。
【００３０】
本発明において、前記調整電圧印加工程における電圧Ｖ２、すなわち調整電圧Ｖ２としては、一方の極性の半周期パルス（１パルスの半波長分半パルス）であることが望ましい。特に調整電圧Ｖ２が直流（矩形波）である場合に、選択反射層における調整電圧印加操作による影響が極めて顕著に発現する。
【００３１】
本発明において、前記調整電圧印加工程における電圧Ｖ２の印加時間ＴV2としては、書き込み工程で印加した電圧Ｖ１HおよびＶ１Lの印加時間ＴV1よりも短い（ＴV1＞ＴV2）ことが望ましい。
【００３２】
次に、本発明に特徴的な調整電圧印加操作の具体的な有効利用例としての応用発明を下記［Ａ］および［Ｂ］の２つ挙げる。［Ａ］は、閾値シフト法による積層型の反射型液晶表示素子の駆動方法に調整電圧印加操作を適用した例であり、［Ｂ］は、単層型で光書き込み型の反射型液晶表示素子における明暗コントラスト比向上の目的で調整電圧印加操作を適用した例である。
【００３３】
［Ａ］閾値シフト法による積層型の反射型液晶表示素子の駆動方法に適用した例
［Ａ］の応用発明は、前記本発明の反射型液晶表示素子の駆動方法であって、
各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層されてなる反射型液晶表示素子を、画像を記録する対象とし、
前記書き込み工程が、当該工程における前記動作閾値が前記いずれかの選択反射層の上閾値であり、電圧Ｖ１Hおよび電圧Ｖ１Lを含む２種類以上の電圧（以下、単に「書き込み電圧」という場合がある。）を前記各選択反射層に印加することで、前記各選択反射層における前記上閾値を超える部位または超えない部位の選択を行う工程であり、
前記調整電圧印加工程に引き続き、前記書き込み工程で上閾値として選択された選択反射層以外のいずれかの選択反射層の下閾値を超える電圧Ｖ３Hおよび超えない電圧Ｖ３Lを含む２種類以上の大きさの電圧（以下、単に「第２書き込み電圧」という場合がある。）を前記各選択反射層に印加することで、前記各選択反射層における前記下閾値を超える部位または超えない部位の選択を行う第２の書き込み工程を含むことを特徴とする。
【００３４】
前記選択反射層（表示層）が２層構成である場合を例に挙げて、［Ａ］の応用発明の作用・効果について説明する。
図１および図２は、調整電圧印加操作による影響の異なる２つの表示層（選択反射層）における調整電圧の大きさとその後の表示層における反射率との関係を表すグラフの一例である。図１は、調整電圧印加操作による影響を比較的受け易い表示層Ａについてのグラフであり、図２は、調整電圧印加操作による影響を比較的受け難い表示層Ｂについてのグラフである。
【００３５】
図１および図２は、具体的には、先ず表示層の全ての部位をプレーナ相に揃えておき、書き込み工程において電圧を印加して所定の相状態にした後、連続して調整電圧印加操作を施した場合の最終的な視感反射率Ｙを測定し、これと調整電圧の大きさとの関係をプロットしたグラフであり、縦軸は各表示層の視感反射率Ｙ値を表し、横軸は調整電圧として印加されたパルス電圧の値を表す。
【００３６】
また、図１および図２において、「Ｐリセット」（プレーナリセット）とは、書き込み工程において各表示層がプレーナ相である状態から、そのまま調整電圧印加操作を行った場合、「Ｆリセット」（フォーカルコニックリセット）とは、書き込み工程において各表示層の下閾値を超え、上閾値を超えない電圧を印加して、液晶をフォーカルコニック相とした後に調整電圧印加操作を行った場合、「Ｈリセット」（ホメオトロピックリセット）とは、書き込み工程において各表示層の上閾値を超える電圧を印加して、液晶をホメオトロピック相とした後に連続して調整電圧印加操作を行った場合であり、それぞれを表すグラフである。なお、以降の説明における「プレーナ（Ｐ）リセット」、「フォーカルコニック（Ｆ）リセット」および「ホメオトロピック（Ｈ）リセット」の用語の解釈についても同様である。
【００３７】
図１および図２を見てもわかるように、調整電圧印加操作に対する反射率への影響は、表示層Ａと表示層Ｂとで大きく異なる。
両グラフのＦリセットおよびＨリセットのグラフについてより詳細に見てみると、表示層Ｂでは、ＦリセットおよびＨリセット共に反射率に大きな変化はないが、表示層Ａでは、調整電圧が８０Ｖを越えた辺りからＦリセットの反射率の上昇が見られ、１３０Ｖ辺りでは視感反射率Ｙは１０に近くなり、選択反射状態（プレーナ相状態）となっていることがわかる。しかし、Ｈリセットについては、８０Ｖ以上では視感反射率Ｙの大きな変化は見られない。
【００３８】
本応用発明は、この表示層Ａおよび表示層Ｂの、調整電圧に対する反射率変化の性質の差を利用することで、上閾値における動作マージンを確保するものである。
【００３９】
図３は、本応用発明に相当する本発明の反射型液晶表示素子の駆動方法を適用したシステムの例示的一態様を示す概略構成図であり、後述する第１の実施形態のものである。図３に示されるシステムは、表示媒体（反射型液晶表示素子）１と書き込み装置（反射型液晶表示素子の駆動装置）２とからなる。これら両構成要素およびその動作の詳細については、後述することとし、ここでは本応用発明の作用および効果の概要を説明するに止める。
【００４０】
図３に示される例において、表示媒体１は、表示面側から順に、透明基板３、透明電極５、表示層（選択反射層）７ｂ、表示層（選択反射層）７ａ、透明電極（電極）６および透明基板４が積層されてなる積層型の反射型液晶表示素子である。この表示媒体１において、表示層７ａとして図１のグラフに示す特性の表示層Ａを、表示層７ｂとして図２のグラフに示す特性の表示層Ｂを、それぞれ形成した場合を想定する。
【００４１】
図３に示される表示媒体（反射型液晶表示素子）１における各表示層７ａ，７ｂ（Ａ，Ｂ）のコレステリック液晶のスイッチング挙動を、図４にグラフにて示す。図４のグラフを参考に説明すると、２層構成の反射型液晶表示素子に電圧を印加した場合の各表示層（選択反射層）の動作マージンＶｍは、以下にように表すことができる。
【００４２】
各表示層がプレーナ相状態からフォーカルコニック相状態へ遷移するとき（下閾値）の各表示層の正規化反射率が９０％になる電圧をＶｐｆ９０、５０％になる電圧をＶｐｆ５０、１０％になる電圧をＶｐｆ１０として、上下閾値の電圧が大きい表示層ｂには数字の前にｂを、上下閾値の電圧が小さい表示層ａには数字の前にａを付するとすると、下閾値における動作マージンＶｍは、
Ｖｍ＝２×（Ｖｐｆｂ９０−Ｖｐｆａ１０）／（Ｖｐｆｂ５０＋Ｖｐｆａ５０）
と、表すことができる。
これら動作マージンは、正の値であることが望ましい。
【００４３】
また、同様に、各表示層（選択反射層）がフォーカルコニック相状態からホメオトロピック相状態に遷移するとき（上閾値）の各表示層の正規化反射率が９０％になる電圧をＶｆｈ９０、５０％になる電圧をＶｆｈ５０、１０％になる電圧をＶｆｈ１０として、かつ、上記同様にａおよびｂを付するとすると、上閾値における動作マージンＶｍは、
Ｖｍ＝２×（Ｖｆｈｂ１０−Ｖｆｈａ９０）／（Ｖｆｈｂ５０＋Ｖｆｈａ５０）
と、表すことができる。
【００４４】
上閾値における動作マージンＶｍを十分に確保し難い場合に、本発明における調整電圧印加操作を利用することができる。
先ず、書き込み工程において、表示層７ｂの上閾値Ｖｆｈｂより低く表示層７ａの上閾値Ｖｆｈａより高いＶｃ間の電圧、または表示層７ｂの上閾値Ｖｆｈｂより高いＶｄ間の電圧を電圧印加部１７により選択的に印加する。上閾値における動作マージンＶｍが十分に確保されている場合、Ｖｃ間の電圧を印加した部位は、表示層７ｂがフォーカルコニック相で、表示層７ａがホメオトロピック相の状態となる一方、Ｖｄ間の電圧を印加した部位は、表示層７ａはＶｃ間の場合と同じくホメオトロピック相の状態であるが、表示層７ｂにおいては上閾値Ｖｆｈｂを超えるため、ホメオトロピック相に相変化する。
【００４５】
つまり、電圧印加部１７による印加電圧をＶｃ間とするかＶｄ間とするかを選択することで、表示層７ｂの相の状態について、フォーカルコニック相とホメオトロピック相のいずれかの選択が為される。この状態で電圧印加を急速に解除すると、ホメオトロピック相はプレーナ相に変化し、フォーカルコニック相はその状態を維持する。一方、表示層７ａは、電圧印加の解除前には、いずれの印加電圧であってもホメオトロピック相となっており、電圧印加の急速解除によって、全てプレーナ相に変化する。
【００４６】
しかし、上閾値における動作マージンＶｍが十分に確保されていない場合、表示層７ｂの相の状態について、フォーカルコニック相とホメオトロピック相のいずれかの選択が確実に為されるように電圧を印加したとき、表示層７ａの一部がフォーカルコニック相のままで相変化しない事態が想定される。閾値シフト法では、上閾値で相状態を選択したいのが表示層７ｂであれば、他方の表示層７ａは、この書き込み工程で全てホメオトロピック相に揃っていることが望まれる。
そこで、本応用発明においては、書き込み工程に続いて連続的に調整電圧印加工程による操作が為される。
【００４７】
調整電圧印加工程においては、書き込み工程で印加した電圧の周波数とは異なる周波数の電圧、すなわち調整電圧を印加する。このとき表示層７ａに印加される分圧を例えば１３０Ｖとすると、表示層７ａにおいて、ホメオトロピック相の部位（Ｈリセット状態の部位）はそのままホメオトロピック相を維持し、フォーカルコニック相の部位（Ｆリセット状態の部位）はホメオトロピック相に相変化して、結局全ての部位がホメオトロピック相となり、図１のグラフに示されるとおり、印加電圧解除と共にプレーナ相に相変化して反射状態となる。
【００４８】
一方、表示層７ｂにおいては、図２のグラフからもわかるとおり、１３０Ｖ以下の調整電圧では相状態に影響を与えることが無く、ホメオトロピック相が選択された部位（Ｈリセット状態の部位）、および、フォーカルコニック相が選択された部位（Ｆリセット状態の部位）がいずれも調整電圧の印加前の相状態を維持し、印加電圧解除と共にホメオトロピック相の部位のみがプレーナ相に相変化して、プレーナ相の選択反射とフォーカルコニック相の選択透過の画像が形成される。
【００４９】
以上説明したように、本発明に特徴的な調整電圧印加操作を適用することにより、液晶組成や目的とする性能の確保等の理由から上閾値における動作マージンを確保しづらい場合にも、実質的に広い動作マージンを確保したことと同じ効果を実現することができる。そのため、液晶構成の設計や液晶組成の選択の自由度が上がり、例えば、後述する下閾値における動作マージンの確保の際にも制限が少なくなり、全体として高い動作マージンを確保することができ、積層型の反射型液晶表示素子における各表示層（選択反射層）に十分な反射率を持たせながら、安定的な閾値シフト駆動を実現することができる。
【００５０】
以上のように、上閾値については本発明に特徴的な調整電圧印加操作を利用することにより、実質的に広い動作マージンを確保することができるが、下閾値の動作マージンを十分に確保するためには、前記第２の書き込み工程で印加する第２書き込み電圧（Ｖ３HおよびＶ３L）の周波数（ＦV3）を、前記書き込み工程で印加する書き込み電圧（Ｖ１HおよびＶ１L）の周波数（ＦV1）に比して小さく（ＦV3＜ＦV1）することが好ましい。この理由について説明する。
【００５１】
図５は、図３に示された積層型の反射型液晶表示素子（表示媒体１）における積層状態の表示層７ａ，７ｂの等価回路を示す回路図である。ＣａおよびＲａは、上下閾値の電圧が小さい表示層７ａの等価静電容量および抵抗値であり、ＣｂおよびＲｂは、上下閾値の電圧が大きい表示層７ｂの等価静電容量および抵抗値である。
【００５２】
各表示層７ａ，７ｂ間への印加電界比を拡大するためには、各表示層７ａ，７ｂの誘電率比を大きく取り、容量分圧比を大きくする方法が考えられる。ただし、これについては既述の通り、一般的にコレステリック液晶の比誘電率と屈折率異方性Δｎとの間には正の相関があるため、低誘電率側表示層（この場合、表示層７ａ）において明るい表示が得られにくく、また、液晶材料の誘電率が増加すると閾値電界が小さくなる傾向があるため、容量分圧比の小さい高誘電率側表示層（この場合、表示層７ｂ）の閾値電界が小さくなり、動作マージンの拡大が困難である。
【００５３】
下閾値におけるプレーナ相からフォーカルコニック相への配向変化は、コレステリック液晶を含む表示層に加わる電界エネルギーの蓄積により生じると考えられる。本発明者らは、各液晶材料の比抵抗に差を持たせ、各表示層への分圧比が、容量分圧比から抵抗分圧比に緩和する（抵抗分圧比に依存する割合を上げる）ような低い周波数の電圧パルスを加えることにより、上記問題点が解決されることを見出した。
【００５４】
すなわち、表示層間の抵抗比を利用して分圧させることにより、各表示層間の液晶材料の誘電率比を大きくとる必要がなくなるため、各表示層に高い屈折率異方性Δｎの液晶材料を用いることができ、明るい表示が得られる。また、誘電率比を抑えることで閾値電界の逆転も生じにくいため、動作マージンを容易に拡大することができる。なお、ここで印加するパルス波形は矩形波でもよいが、より抵抗成分が影響しやすい上昇三角波やサイン波、直流パルスなどが望ましい。
【００５５】
図６に、低い周波数の電圧パルスを加えることにより、抵抗分圧比への緩和を図り、分圧比を拡げることができることを説明するためのグラフを示す。図６において、上段の２つのグラフは高抵抗側の表示層７ａにおける分圧Ｖａの推移を表すグラフであり、下段の２つのグラフは低抵抗側の表示層７ｂにおける分圧Ｖｂの推移を表すグラフである。上下段とも、左が周波数５０Ｈｚ、右が周波数５Ｈｚのパルス波を印加した場合のグラフであり、両グラフにおいて、横軸の単位時間当たりの目盛の長さは、周波数５０Ｈｚのものが周波数５Ｈｚのものに対して１０倍になっている。
なお、本発明の実現のために、各層の抵抗調整も行っている（すなわち、表示層７ａが高抵抗、表示層７ｂが低抵抗になるように各層の液晶材料を選択している。）。
【００５６】
周波数５０Ｈｚのパルス波を印加した場合は、各段の左側のグラフに示されるように、パルス波により印加される電圧は、時間の経過に伴い増加乃至減少の傾向を見せるものの直線状の推移となる。これに対して、周波数５Ｈｚのパルス波を印加した場合は、各段の右側のグラフに示されるように、パルス波により印加される電圧は、時間の経過に伴う増加乃至減少の傾向が一定になるまで続いており、この結果、表示層７ａと表示層７ｂとで分圧比が大きく広がっていることがわかる。
【００５７】
つまり、下閾値の動作マージンに対しては、各表示層に加わる電圧の容量分圧比から抵抗分圧比への緩和時定数を下げて、抵抗成分の影響が大きくなるような周波数・波形のパルスを加え、各層の抵抗比を利用することにより、誘電率の制限を低減させながらも、液晶材料の材料設計の自由度を向上させることができるようになる。
【００５８】
しかしながら、抵抗成分への緩和を利用した波形（低い周波数）の電圧パルスを印加した場合、最終パルス印加後に残留電位による波形の乱れが生じる。図７は、当該波形の乱れを表す印加電圧と時間との関係を示すグラフであり、電圧印加終了時（当該グラフでは４００ｍｓ）の後にも残留電位の影響で、波形の乱れたパルスが印加されてしまう。この波形の乱れは、低周波電圧を印加した場合には、完全に避けることはできない。この最終パルス印加後の波形の乱れにより、ホメオトロピック相からプレーナ相への配向変化が妨げられ反射率が低下するため、上閾値におけるスイッチングに支障が出る。
【００５９】
そこで、上閾値における書き込みと下閾値における書き込みとで、印加する電圧の周波数を異ならせることで、上記問題点を解決することができる。上記の例では、下閾値での動作マージン確保のために印加電圧の周波数を小さくして、抵抗分圧比へ緩和させるとともに、低周波数電圧により生じる波形の乱れの影響を受け易い上閾値でのスイッチングでは、周波数を高めて、動作安定を実現しつつ動作マージンを確保している。
【００６０】
よって、好ましくは、上閾値は従来の容量分圧を利用した波形、すなわち高周波数の電圧を印加し、下閾値は抵抗分圧を利用した波形、すなわち低周波数の電圧を印加する。このように、上閾値において印加する電圧（リセット電圧）と下閾値において印加する電圧（セレクト電圧）とにおいてそれぞれ異なる周波数（乃至波形）の電圧を印加することで、下閾値における動作マージンを確保し高反射率の表示層を実現しつつ、反射型液晶表示素子を駆動することができ、閾値シフト法による反射型液晶表示素子の駆動の実用性が格段に向上する。
【００６１】
なお、書き込み工程と第２書き込み工程とで異ならせる印加電圧の周波数については、特に第２書き込み工程（下閾値スイッチング時）における印加電圧Ｖ３の周波数ＦV3として、０〜１００Ｈｚの範囲内とすることが好ましく、０〜３０Ｈｚの範囲内とすることがより好ましい。１００Ｈｚを超えると抵抗分圧比への緩和が十分ではなくなり、動作マージン確保が困難になる場合があり、好ましくない。
【００６２】
本応用発明の反射型液晶表示素子の駆動方法において、前記選択反射層としては、最低限の２層構成であってもよいし、フルカラー画像を形成することをも可能とする３層構成であってもよい。
【００６３】
当該［Ａ］の応用発明は、画像を記録する対象としての反射型液晶表示素子が、光導電層を含む構成の光書き込み型の物であっても好ましく適用することができる。すなわち、光導電層を含む構成における場合の本応用発明の反射型液晶表示素子の駆動方法は、上記［Ａ］の応用発明の構成を具備し、かつ、
積層された前記複数の選択反射層の一方の面に光導電体層が積層されて、これらが前記一対の電極間に挟持されてなる光書き込み型の反射型液晶表示素子を、画像を記録する対象とし、
前記書き込み工程が、アドレス光の露光時に電圧Ｖ１H、非露光時に電圧Ｖ１Lが前記選択反射層に分圧印加されるバイアス電圧Ｖ１を前記一対の電極に印加しつつ適宜アドレス光を選択露光する工程であり、
前記第２の書き込み工程が、アドレス光の露光時に電圧Ｖ３H、非露光時に電圧Ｖ３Lが前記選択反射層に分圧印加されるバイアス電圧Ｖ３を前記一対の電極に印加しつつ適宜アドレス光を選択露光する工程であることを特徴とする。
【００６４】
光書き込み型の反射型液晶表示素子においては、書き込み工程乃至第２の書き込み工程で、非露光時に電圧Ｖ１L乃至Ｖ３Lが前記選択反射層に分圧印加されるバイアス電圧Ｖ１乃至Ｖ３を前記一対の電極に印加しておき、アドレス光の露光時にこれが電圧Ｖ１H乃至Ｖ３Hになるようにしておけば、書き込み電圧の大小のみで書き込む構成と実質的に同様の作用並びに効果を得ることができ、本発明および本応用発明の作用並びに効果が奏される。
【００６５】
［Ｂ］単層型で光書き込み型の反射型液晶表示素子における明暗コントラスト比向上の目的で適用した例
［Ｂ］の応用発明は、前記本発明の反射型液晶表示素子の駆動方法であって、
１層のみからなる前記選択反射層とともに光導電体層が積層されて、これらが前記一対の電極間に挟持されてなる光書き込み型の反射型液晶表示素子を、画像を記録する対象とし、
前記書き込み工程が、アドレス光の露光時に電圧Ｖ１H、非露光時に電圧Ｖ１Lが前記選択反射層に分圧印加される電圧Ｖ１を、前記一対の電極に印加しつつ適宜アドレス光を選択露光することで、前記選択反射層における前記閾値を超える部位と超えない部位との選択を行う工程であり、
前記調整電圧印加工程で印加する電圧Ｖ２の印加時間ＴV2が書き込み工程で印加した電圧Ｖ１の印加時間ＴV1よりも短い（ＴV1＞ＴV2）ことを特徴とする。。このとき、電圧Ｖ２としては、１パルスの半波長分（直流）であることが好ましい。
【００６６】
従来技術の項で説明したように、反射型液晶表示素子は、液晶材料によっては含有する水分やイオンなどの影響により、書き込みに高周波パルスを印加した方が高い反射率の表示画像が得られることがあるが、例えば、液晶層（選択反射層）とＯＰＣ層（有機光導電層）とを積層した光書き込み型の反射型液晶表示素子においては、書き込みに高周波パルスを印加すると、液晶層とＯＰＣ層との間で分圧比が抵抗分圧に緩和しないため、十分な明暗コントラスト比を得ることが困難な場合があった。
【００６７】
本応用発明では、前記書き込み工程における電圧を従来と同様の周波数で印加して書き込みを行い、その後、前記調整電圧印加工程で周波数の異なる短いパルス電圧を印加する。このパルス電圧の印加時間は極めて短く、高周波の矩形パルス半波長分と捉えることができる。その結果、書き込みに高周波パルスを用いて駆動した場合と同様の効果が得られ、高い反射率の表示画像が得られる。
【００６８】
以上、本発明の反射型液晶表示素子の駆動方法、およびそれを利用した応用発明［Ａ］および［Ｂ］の概略を説明したが、本発明の反射型液晶表示素子の駆動方法は、あくまでも反射型液晶表示素子に対する画像書き込みのための駆動操作とは異なる、別個独立した新たな反射率制御の手法を提案するものであり、これを従来公知の手法と組み合わせることで、多様な反射率制御が可能となる。すなわち、本発明の反射型液晶表示素子の駆動方法の応用例は、応用発明［Ａ］および［Ｂ］に限定されるものではなく、調整電圧印加操作やその他の条件を適宜調整することにより、多様な反射率制御が可能となる。
【００６９】
これら本発明の反射型液晶表示素子の駆動方法（応用発明［Ａ］および［Ｂ］を含む。）においては、画像を記録する対象としての反射型液晶表示素子が、光導電層を含む構成の光書き込み型の物である場合に、前記光導電体層が、有機光導電体からなることが好ましい。
また、これら本発明の反射型液晶表示素子の駆動方法（応用発明［Ａ］および［Ｂ］を含む。）においては、１層または２層以上の前記選択反射層が、高分子中に前記コレステリック液晶が分散されてなるものであることが好ましい。
【００７０】
概略を説明した本発明の反射型液晶表示素子の駆動方法（応用発明［Ａ］および［Ｂ］を含む。）は、以下に示す構成の駆動装置（本発明の反射型液晶表示素子の駆動装置）により実現することができる。
【００７１】
すなわち本発明の反射型液晶表示素子の駆動装置（以下、単に「本発明の駆動装置」という場合がある。）は、一対の電極間に、コレステリック液晶を含み所定の波長の光を選択反射する少なくとも１層または２層以上の選択反射層が挟持されてなる反射型液晶表示素子に、画像を記録するための反射型液晶表示素子の駆動装置であって、少なくとも、前記一対の電極間に電圧を印加し得る電源装置を含み、
前記選択反射層における所定の動作閾値を超える電圧Ｖ１Hおよび超えない電圧Ｖ１Lを含む２種類以上の大きさの電圧を前記選択反射層に所定時間ＴV1選択的に印加し得るバイアス電圧を前記一対の電極間に印加して、前記選択反射層における前記動作閾値を超える部位または超えない部位の選択を行う書き込み動作と、
電圧Ｖ１HおよびＶ１Lの周波数とは異なる周波数の電圧Ｖ２を前記選択反射層に印加し得る電圧を前記一対の電極間に印加する調整電圧印加動作と、
の各動作が順次為されることを特徴とする。
本発明の駆動装置においては、前記調整電圧印加動作における電圧Ｖ２が、１パルスの半波長分（直流）であることが好ましい。
【００７２】
閾値シフト法に適用した場合の本発明の駆動装置は、各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層されてなる反射型液晶表示素子を、画像を記録する対象とし、
前記書き込み動作が、当該工程における前記動作閾値が前記いずれかの選択反射層の上閾値であり、電圧Ｖ１Hおよび電圧Ｖ１Lを含む２種類以上の電圧を前記選択反射層に印加し得る電圧を前記一対の電極間に印加することで、前記選択反射層における前記上閾値を超える部位または超えない部位の選択を行う動作であり、
前記調整電圧印加動作に引き続き、前記書き込み動作で上閾値として選択された選択反射層以外のいずれかの選択反射層の下閾値を超える電圧Ｖ３Hおよび超えない電圧Ｖ３Lを含む２種類以上の大きさの電圧を前記選択反射層に印加し得る電圧を前記一対の電極間に印加することで、前記選択反射層における前記下閾値を超える部位または超えない部位の選択を行う第２の書き込み動作が為されることを特徴とする。
【００７３】
一方、光書き込み型の反射型液晶表示素子を閾値シフト法により駆動させる本発明の駆動装置は、各層ごとに可視光中の互いに異なる波長の光を選択反射し、かつ、それぞれのプレーナ相からフォーカルコニック相への変化の外部印加電圧に対する動作閾値たる下閾値、および、フォーカルコニック相からホメオトロピック相への変化の外部印加電圧に対する動作閾値たる上閾値が互いに異なる複数の選択反射層が、各層の間に電極を介することなく積層され、その一方の面に光導電体層が積層されて、これらが一対の電極間に挟持されてなる光書き込み型の反射型液晶表示素子に、画像を記録するための反射型液晶表示素子の駆動装置であって、少なくとも、前記一対の電極間に電圧を印加し得る電源装置と、前記反射型液晶表示素子を露光し得る露光装置とからなり、
前記複数の選択反射層における前記いずれかの選択反射層の上閾値をアドレス光の露光時に超える電圧Ｖ１H、非露光時に超えない電圧Ｖ１Lが前記選択反射層に分圧印加されるバイアス電圧Ｖ１を前記一対の電極に所定時間ＴV1印加しつつ適宜アドレス光を選択露光する書き込み動作と、
電圧Ｖ１の周波数とは異なる周波数の電圧Ｖ２を前記選択反射層に印加し得るバイアス電圧を前記一対の電極間に印加する調整電圧印加動作と、
前記書き込み動作で上閾値として選択された選択反射層以外のいずれかの選択反射層の下閾値をアドレス光の露光時に超える電圧Ｖ３H、非露光時に超えない電圧Ｖ３Lが前記選択反射層に分圧印加されるバイアス電圧Ｖ３を前記一対の電極間に印加することで、前記選択反射層における前記下閾値を超える部位または超えない部位の選択を行う第２の書き込み動作と、
の各動作が順次為されることを特徴とする。
【００７４】
閾値シフト法により駆動させる場合には、前記電圧Ｖ３HおよびＶ３Lの周波数ＦV3が、前記電圧Ｖ１HおよびＶ１Lの周波数ＦV1に比して小さい（ＦV3＜ＦV1）ことが好ましく、０〜１００Ｈｚの範囲内であることがより好ましい。また、前記選択反射層としては、２層構成であっても構わないし、３層構成であっても構わない。
【００７５】
単層型で光書き込み型の反射型液晶表示素子における明暗コントラスト比向上の目的で適用した場合の本発明の駆動装置は、１層のみからなる前記選択反射層とともに光導電体層が積層されて、これらが前記一対の電極間に挟持されてなる光書き込み型の反射型液晶表示素子を、画像を記録する対象とし、
前記書き込み動作が、アドレス光の露光時に電圧Ｖ１H、非露光時に電圧Ｖ１Lが前記選択反射層に分圧印加される電圧Ｖ１を、前記一対の電極に印加しつつ適宜アドレス光を選択露光することで、前記選択反射層における前記閾値を超える部位と超えない部位との選択を行う動作であり、
前記調整電圧印加動作で印加する電圧Ｖ２の印加時間ＴV2が書き込み工程で印加した電圧Ｖ１の印加時間ＴV1よりも短い（ＴV1＞ＴV2）ことを特徴とする。このとき、電圧Ｖ２としては、１パルスの半波長分（直流）であることが好ましい。
【００７６】
これら本発明の反射型液晶表示素子の駆動装置においては、画像を記録する対象としての反射型液晶表示素子が、光導電層を含む構成の光書き込み型の物である場合に、前記光導電体層が、有機光導電体からなることが好ましい。
また、本発明の反射型液晶表示素子の駆動装置においては、１層または２層以上の前記選択反射層が、高分子中に前記コレステリック液晶が分散されてなることが好ましい。
【発明の効果】
【００７７】
本発明によれば、書き込み工程（動作）に引き続いて、所定の調整電圧を印加する調整電圧印加工程（動作）の操作を施すことで、反射型液晶表示素子に対する画像書き込みのための駆動操作とは異なる、別個独立した新たな反射率制御の手法を採り入れ、従来公知の手法と組み合わせることで、多様な反射率制御を可能とする反射型液晶表示素子の駆動方法、および反射型液晶表示素子の駆動装置を提供することができる。
【００７８】
また、上記本発明を適用した［Ａ］の応用発明によれば、閾値シフト法を利用しつつ、積層型の反射型液晶表示素子における各選択反射層に十分な反射率を持たせながら、動作マージンを拡大し、安定的な閾値シフト駆動を実現する反射型液晶表示素子の駆動方法、および反射型液晶表示素子の駆動装置を提供することができる。
【００７９】
さらに、上記本発明を適用した［Ｂ］の応用発明によれば、光書き込み動作時に、書き込みに高周波パルスを印加した場合と同様の高い明暗コントラスト比を確保することが可能な反射型液晶表示素子の駆動方法、および反射型液晶表示素子の駆動装置を提供することができる。
【発明を実施するための最良の形態】
【００８０】
以下、本発明を図面に則して詳細に説明する。
［第１の実施形態］
第１の実施形態は、本発明の構成を、電圧書き込み型で積層型の反射型液晶表示素子の閾値シフト法による駆動方法に適用した［Ａ］の応用発明の例である。
【００８１】
既述の通り、図３は、本発明の反射型液晶表示素子の駆動方法を適用したシステムの例示的一態様である第１の実施形態の概略構成図である。本実施形態のシステムは、表示媒体（反射型液晶表示素子）１と書き込み装置（反射型液晶表示素子の駆動装置）２とからなる。この両構成要素について、詳細に説明してから、その動作について説明する。
【００８２】
＜表示媒体＞
本実施形態において表示媒体１とは、バイアス信号の印加によって複数の液晶層（選択反射層）の選択駆動ができる部材であり、具体的には反射型液晶表示素子である。
本実施形態において、表示媒体１は、表示面側から順に、透明基板３、透明電極５、表示層（選択反射層）７ｂ、表示層（選択反射層）７ａ、透明電極（電極）６および透明基板４が積層されてなる物である。
【００８３】
（透明基板）
透明基板３，４は、各機能層を内面に保持し、表示媒体の構造を維持する目的の部材である。透明基板３，４は、外力に耐える強度を有するシート形状の物体であり、少なくとも入射光を透過する機能を有する。フレキシブル性を有することが好ましい。具体的な材料としては、無機シート（たとえばガラス・シリコン）、高分子フィルム（たとえばポリエチレンテレフタレート、ポリスルホン、ポリエーテルスルホン、ポリカーボネート、ポリエチレンナフタレート）等を挙げることができる。外表面に、防汚膜、耐磨耗膜、光反射防止膜、ガスバリア膜など公知の機能性膜を形成してもよい。
【００８４】
（透明電極）
透明電極５，６は、書き込み装置２から印加されたバイアス電圧を、光アドレス素子内の各機能層へ面均一に印加する目的の部材である。透明電極５，６は、面均一な導電性を有し、少なくとも入射光・アドレス光を透過する。具体的には、金属（たとえば金、アルミニウム）、金属酸化物（たとえば酸化インジウム、酸化スズ、酸化インジウムスズ（ＩＴＯ））、導電性有機高分子（たとえばポリチオフェン系・ポリアニリン系）などで形成された導電性薄膜を挙げることができる。表面に、密着力改善膜、光反射防止膜、ガスバリア膜など公知の機能性膜を形成してもよい。なお、本発明において表示側で無い側の電極（本実施形態で言えば透明電極６）は、透明でなくても構わない。
【００８５】
（表示層）
本発明において表示層とは、電場によって入射光のうち特定の色光の反射・透過状態を変調する機能を有し、選択した状態が無電場で保持できる性質のものである。曲げや圧力などの外力に対して変形しない構造であることが好ましい。
【００８６】
本実施形態において表示層としては、コレステリック液晶および透明樹脂からなる自己保持型液晶複合体の液晶層が形成されてなるものである。すなわち、複合体として自己保持性を有するためスペーサ等を必要としない液晶層である。本実施形態では、不図示ではあるが、高分子マトリックス（透明樹脂）中にコレステリック液晶が分散した状態となっている。
なお、本発明においては、表示層が、自己保持型液晶複合体の液晶層であることは必須ではなく、単に液晶のみで表示層を構成することとしても構わない。
【００８７】
コレステリック液晶は、入射光のうち特定の色光の反射・透過状態を変調する機能を有し、液晶分子がらせん状に捩れて配向しており、らせん軸方向から入射した光のうち、らせんピッチに依存した特定の光を干渉反射する。電場によって配向が変化し、反射状態を変化させることができる。表示層を自己保持型液晶複合体とする場合には、ドロップサイズが均一で、単層稠密に配置されていることが好ましい。
【００８８】
コレステリック液晶として使用可能な具体的な液晶としては、ネマチック液晶やスメクチック液晶（たとえばシッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系）、またはこれらの混合物に、光学活性材料（たとえばステロイド系コレステロール誘導体、シッフ塩基系、アゾ系、エステル系、ビフェニル系）を添加したもの等を挙げることができる。
【００８９】
コレステリック液晶の螺旋ピッチは、ネマチック液晶に対するカイラル剤の添加量で調整する。例えば、表示色を青、緑、赤とする場合には、それぞれ選択反射の中心波長が、４００ｎｍ〜５００ｎｍ、５００ｎｍ〜６００ｎｍ、６００ｎｍ〜７００ｎｍの範囲になるようにする。また、コレステリック液晶の螺旋ピッチの温度依存性を補償するために、捩じれ方向が異なる、または逆の温度依存性を示す複数のカイラル剤を添加する公知の手法を用いてもよい。
【００９０】
表示層７ａ，７ｂがコレステリック液晶と高分子マトリックス（透明樹脂）からなる自己保持型液晶複合体を形成する形態としては、コレステリック液晶の連続相中に網目状の樹脂を含むＰＮＬＣ（Ｐｏｌｙｍｅｒ Ｎｅｔｗｏｒｋ Ｌｉｑｕｉｄ Ｃｒｙｓｔａｌ）構造や、高分子の骨格中にコレステリック液晶がドロップレット状に分散されたＰＤＬＣ（Ｐｏｌｙｍｅｒ Ｄｉｓｐｅｒｓｅｄ Ｌｉｑｕｉｄ Ｃｒｙｓｔａｌ）構造を用いることができ、ＰＮＬＣ構造やＰＤＬＣ構造とすることによって、コレステリック液晶と高分子の界面にアンカリング効果を生じ、無電界でのプレーナ相またはフォーカルコニック相の保持状態を、より安定にすることができる。
【００９１】
ＰＮＬＣ構造やＰＤＬＣ構造は、高分子と液晶とを相分離させる公知の方法、例えば、アクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ Ｉｎｄｕｃｅｄ ＰｈａｓｅＳｅｐａｒａｔｉｏｎ）法、ポリビニルアルコールなどの、液晶の溶解度が低い高分子と液晶とを混合し、攪拌懸濁させて、液晶を高分子中にドロップレット分散させるエマルジョン法、熱可塑性高分子と液晶とを混合し、均一相に加熱した状態から冷却して相分離させるＴＩＰＳ（Ｔｈｅｒｍａｌｌｙ Ｉｎｄｕｃｅｄ Ｐｈａｓｅ Ｓｅｐａｒａｔｉｏｎ）法、高分子と液晶とをクロロホルムなどの溶媒に溶かし、溶媒を蒸発させて高分子と液晶とを相分離させるＳＩＰＳ（Ｓｏｌｖｅｎｔ Ｉｎｄｕｃｅｄ Ｐｈａｓｅ Ｓｅｐａｒａｔｉｏｎ）法などによって形成することができるが、特に限定されるものではない。
【００９２】
高分子マトリックスは、コレステリック液晶を保持し、表示媒体の変形による液晶の流動（画像の変化）を抑制する機能を有するものであり、液晶材料に溶解せず、また液晶と相溶しない液体を溶剤とする高分子材料が好適に用いられる。また、高分子マトリックスとしては、外力に耐える強度をもち、少なくとも反射光およびアドレス光に対して高い透過性を示す材料であることが望まれる。
【００９３】
高分子マトリックスとして採用可能な材料としては、水溶性高分子材料（たとえばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマー）、あるいは水性エマルジョン化できる材料（たとえばフッ素樹脂、シリコーン樹脂、アクリル樹脂、ウレタン樹脂、エポキシ樹脂）等を挙げることができる。
【００９４】
閾値シフト法に供する反射型液晶表示素子としての表示媒体１においては、表示層７ａと表示層７ｂとで上下閾値電圧が適度に離れ、閾値シフト法による動作マージンが確保されていることが望まれる。本発明においては、容量比と抵抗比とを、液晶材料や各層の厚みを適切に調整することにより適宜調整する。
【００９５】
液晶材料の比抵抗は、例えば、高抵抗のフッ素系材料と低抵抗のシアノ系材料を混合したり、液晶材料にイオン性の不純物を添加したりすることにより制御できる。この時、各表示層間には容量の差を若干持たせておく必要もある。表示層間の容量の差は、液晶材料の誘電率や表示層の厚みを異ならせることで制御できる。
【００９６】
その他、表示層７ａ，７ｂのスイッチング挙動は、表示層７ａ，７ｂを構成するコレステリック液晶の誘電率異方性、弾性率、螺旋ピッチ、高分子の骨格構造や側鎖、相分離プロセス、高分子マトリックスと表示層７ａ，７ｂとの界面のモルフォロジー、これらの総合によって決まる高分子マトリックスと表示層７ａ，７ｂとの界面におけるアンカリング効果の程度などによっても制御することができる。
【００９７】
より具体的には、ネマチック液晶の種類や組成比、カイラル剤の種類、樹脂の種類、高分子樹脂の出発物質であるモノマー、オリゴマー、開始剤、架橋剤などの種類や組成比、重合温度、光重合のための露光光源、露光強度、露光時間、雰囲気温度、電子線重合のための電子線強度、暴露時間、雰囲気温度、塗布時の溶媒の種類や組成比、溶液濃度、ウェット膜厚、乾燥温度、温度降下時の開始温度、温度降下速度などであるが、これらに限定されない。
【００９８】
また、本発明に特有の調整電圧印加操作に対する影響を制御するために、以上説明した液晶組成を適宜調整することが好ましい。しかし、液晶材料によって、調整電圧印加操作に対する挙動が異なることから、液晶組成を調整しながら、調整電圧を印加した際に所望の作用が現れるように構成する必要がある。この調整の対象としては、具体的には例えば、液晶材料の選択、液晶の組成、液晶材料の粘土、インピーダンスの調整等が挙げられる。
【００９９】
勿論、液晶組成についてこれらの調整を行った場合においても、その効果が最適に得られるとは限らない。そのため、一旦所定の液晶組成で表示層を構成する液晶層を形成し、その特性を検証した上でそれに合わせて各工程（動作）の条件を設定するのが望ましい。
また、ある程度液晶組成がかけ離れた２種類（例えば、特定の組成成分の配合量が多いものと少ないもの等）の表示層を形成し、これの特性を予め求めておけば、その途中段階的な液晶組成についてもその特性を推測することができる。
【０１００】
図８、図９および図１０に、表示層における液晶組成を変えて、調整電圧印加操作による影響の異なる表示層組成Ａ、表示層組成Ｂおよび表示層組成Ｃの３つの表示層（選択反射層）における調整電圧の大きさと、その後の表示層における反射率との関係を表すグラフを示す。このグラフの意義は、図１および図２と同様である。
【０１０１】
図８における表示層組成Ａの表示層と、図１０における表示層組成Ｃの表示層とは、前者の方が誘電率が高く、抵抗が低く、また、粘度は後者の方が低い。そして、この表示層組成Ａと表示層組成Ｃとを半々の割合で混合したのが図９における表示層組成Ｂの表示層である。
これら３つのグラフを見比べると、表示層組成Ｂの表示層には、表示層組成Ａの表示層および表示層組成Ｃの表示層の両方の特性の中間的な特性を示すものとなっていることがわかる。
このようにすれば、調整電圧に対して所望の反射率特性をもった表示層を実現することができる。
【０１０２】
＜書き込み装置＞
本実施形態において書き込み装置（積層型光変調素子の駆動装置）２とは、表示媒体１に画像を書き込む装置であり、表示媒体１に電圧を印加する電圧印加部（電源装置）１７を主要構成要素とし、さらにこの動作を制御する制御回路１６が配されてなる。
【０１０３】
（電圧印加部）
電圧印加部（電源装置）１７は、所定のバイアス電圧を表示媒体１に印加する機能を有し、制御回路１６からの入力信号に基づき、表示媒体（各電極間）に所望の電圧波形を印加できるものであればよい。ただし、ＡＣ出力ができ、高いスルーレートが要求される。また、本実施形態では、下閾値における書き込みと、調整電圧印加工程と、上閾値における書き込みとで、適宜印加する電圧の周波数を変える（あるいは直流電圧を印加する）必要があるので、周波数が可変（０Ｈｚを含む。）であることが必須となる。電圧印加部１７には、例えばバイポーラ高電圧アンプなどを用いることができる。
【０１０４】
電源印加部１７による表示媒体１への電圧の印加は、接触端子１９を介して、透明電極５−透明電極６間に為される。
ここで接触端子１９とは、電圧印加部１７および表示媒体１（透明電極５，６）に接触して、両者の導通を行う部材であり、高い導電性を有し、透明電極５，６および電圧印加部１７との接触抵抗が小さいものが選択される。表示媒体１と書き込み装置２とを切り離すことができるように、透明電極５，６と電圧印加部１７とのどちらか、あるいは両者から分離できる構造であることが好ましい。
【０１０５】
接触端子１９としては、金属（たとえば金・銀・銅・アルミ・鉄）、炭素、これらを高分子中に分散させた複合体、導電性高分子（たとえばポリチオフェン系・ポリアニリン系）などでできた端子で、電極を挟持するクリップ・コネクタ形状のものが挙げられる。
【０１０６】
（制御回路）
制御回路１６は、外部（画像取り込み装置、画像受信装置、画像処理装置、画像再生装置、あるいはこれらの複数の機能を併せ持つ装置等）からの画像データに応じて、電圧印加部１７の動作を適宜制御する機能を有する部材である。制御回路１６による具体的な制御内容については、本応用発明に特徴的な「書き込み工程（動作）」、「調整電圧印加工程（動作）」および「第２の書き込み工程（動作）」の２つの工程（動作）からなるものであり、その詳細については後述することとする。
【０１０７】
＜動作＞
本実施形態の反射型液晶表示素子の駆動方法、および反射型液晶表示素子の駆動装置の動作（操作）について、簡単な検証実験を交えて、以下に詳細に説明する。
【０１０８】
ただし、上記の各表示層相互の動作マージンや調整電圧印加操作に対する影響の特性を評価する場合、２層の表示層を直接積層してしまった状態であると、各表示層の反射率の変化を観測するのは困難である。
そこで以下の検証実験においては、各表示層を単独で形成し、それらを電気的に直列接続することにより、各々の反射率変化や調整電圧印加操作に対する影響の特性を測定して動作マージンを近似的に評価した。
なお、以下の実験においては、低誘電率・高抵抗率側の表示層を７ａ、高誘電率・低抵抗率側の表示層を７ｂとして説明する。
【０１０９】
各表示層７ａ，７ｂは、ＩＴＯ電極が設けられた一対のポリエチレンテレフタレート（ＰＥＴ）基板（厚さ１２５μｍ）を、ＩＴＯ電極を内側に向けて対向させ、その間に高分子分散型のコレステリック液晶を封入した構造とした（厚さ１５μｍ）。
【０１１０】
ここで、各表示層７ａ，７ｂにはそれぞれ比抵抗値の異なる液晶材料を用いる。具体的には、低誘電率・高抵抗率側の表示層７ａにおいては、シアノ系液晶にフッ素系液晶を混合して抵抗値を最適化した液晶材料を用い、高誘電率・低抵抗率側の表示層７ｂにおいては、シアノ系液晶を用いた。
【０１１１】
また、各表示層７ａ，７ｂ間には容量の差も若干持たせておく必要があるため、低誘電率・高抵抗率側の表示層７ａにおいては、０．４ｎＦ（５０Ｈｚ）、高誘電率・低抵抗率側の表示層７ｂにおいては、０．６ｎＦ（５０Ｈｚ）とした。そして、調整電圧印加操作に対する影響をコントロールするために、表示層７ａおよび表示層７ｂの液晶組成を制御した。具体的には、表示層７ａに低粘度で閾値急峻性の高い液晶材料を添加し、調整電圧に対する感度を上げた。
【０１１２】
（書き込み工程および調整電圧印加工程）
表示層７ａ，７ｂについて、それぞれ５０Ｈｚ（ＦV1＝５０Ｈｚ）の矩形波の電圧（リセットパルス）（Ｖ１H＝１５０ＶおよびＶ１L＝６０Ｖ）を２００ｍＳ印加して、その液晶の相状態をフォーカルコニック相（Ｆリセット）またはホメオトロピック相（Ｈリセット）とした直後に、１０ｍＳのＤＣパルス（周波数ＦV2＝０）を調整電圧Ｖ２として印加した。このとき、調整電圧Ｖ２の大きさを０Ｖ（すなわち、調整電圧印加操作無し）〜１５０Ｖの間で１０Ｖ間隔で振って検証を行った。
【０１１３】
図１１は、本実施形態における書き込み工程〜調整電圧印加工程間の印加電圧の波形を時系列で示すチャートである。ただし、書き込み工程における印加電圧は、Ｖ１HおよびＶ１Lの２種類があるが、当該チャートにおいては、その区別を付けずに示している。
図１１に示されるように、この検証においては、書き込み電圧Ｖ１の印加の後に連続してＤＣパルス（書き込み電圧よりもパルス幅の長い半パルス）の調整電圧Ｖ２を印加している。
【０１１４】
図１２および図１３に、得られた表示画像の視感反射率Ｙを測定し、これと調整電圧の大きさとの関係をプロットしたグラフを示す。図１２は、調整電圧印加操作による影響を比較的受け易い表示層７ａについてのグラフであり、図１３は、調整電圧印加操作による影響を比較的受け難い表示層７ｂについてのグラフである。また、それぞれの図においては、書き込み工程において、フォーカルコニック（Ｆ）リセットとした場合と、ホメオトロピック（Ｈ）リセットとした場合の２種類のグラフをプロットしている。
【０１１５】
これらグラフからわかるように、表示層７ａでは、フォーカルコニックリセット時において、印加する調整電圧Ｖ２が１３０Ｖ付近およびそれよりも大きい場合にプレーナ相に相変化するのに対し、表示層７ｂにおいては、同じくフォーカルコニックリセット時に１３０Ｖ程度の調整電圧Ｖ２を印加してもフォーカルコニック相を維持している。一方、ホメオトロピックリセット時においては、両表示層７ａ，７ｂとも、１３０Ｖ程度の調整電圧Ｖ２の印加でプレーナ相に相変化する。この表示層の特性の違いを利用して、上閾値における動作マージンの実質的な拡大を企図したのが［Ａ］の応用発明である。
【０１１６】
なお、図４では、上下閾値とも、比較的高いマージンが確保された理想的な表示層の組み合わせのスイッチング挙動を示しているが、本実施形態では、上閾値の動作マージンがほとんど確保されていない表示層の組み合わせとなっている。図１４に、本実施形態の表示媒体１における各表示層７ａ，７ｂのコレステリック液晶のスイッチング挙動をグラフにて示す。
【０１１７】
上閾値での駆動においては、上閾値電圧の高い表示層ｂの相状態をフォーカルコニック相またはホメオトロピック相に選択し、電圧の印加を除した際にホメオトロピック相はプレーナ相に相変化して、フォーカルコニック相の選択透過とプレーナ相の選択反射とが選択される。このとき、上閾値電圧の低い表示層ａについては、上閾値電圧を十分に超えた電圧が印加されて、相状態が一律にホメオトロピック相に相変化し、電圧の印加を除すとともにプレーナ相に相変化して、全面が反射状態とならなければ、閾値シフト法による駆動は実現困難となる。
【０１１８】
しかし、図１４を見てもわかるように、表示層ｂが透過状態となる（フォーカルコニック相となる）１００Ｖ〜１５０Ｖ程度の電圧では、反射率の値（Ｙ値）から見て、表示層ａが十分にホメオトロピック相に相変化（印加電圧解除によりプレーナ相に相変化して反射状態）し得ない。例えば、外部印加電圧１３０Ｖ以下では、表示層ａのほとんどがフォーカルコニック相状態となる。
すなわち、上閾値で表示層ｂを駆動しようとしても、表示層ａを一律に反射状態にすることができる書き込み電圧の駆動条件が見つからず、表示層ａと表示層ｂとの関係は、動作マージンがほとんど確保できない状態であると言える。
【０１１９】
本実施形態では、このように上閾値における動作マージンがほとんど確保できない表示層の組み合わせにおいても、実質的に動作マージンが確保される。
以下、両表示層７ａ，７ｂを積層して得られた図３に示される表示媒体１に対して、実際に調整電圧がどのように作用するかを説明する。
【０１２０】
まず、両表示層７ａ，７ｂがホメオトロピック相になるような書き込み電圧（３００Ｖ）を印加してホメオトロピックリセット状態にし、その直後に２６０Ｖ程度のＤＣパルスを１０ｍＳ印加した場合を想定する。この場合には、各表示層７ａ，７ｂに約１３０Ｖの調整電圧Ｖ２が印加され、ホメオトロピックリセット状態のまま、印加電圧解除と共に両層ともプレーナ相に相変化する（図１２および図１３を参照）。
なお、ここで各表示層７ａ，７ｂに印加される調整電圧は、各表示層７ａ，７ｂの容量比によって分圧されるため、この場合は表示層７ｂの方が表示層７ａよりも容量が高く設計されている（より高い電圧が表示相７ａに加わる）ことが望ましい。
【０１２１】
一方、両者がフォーカルコニック相になるような書き込み電圧（１２０Ｖ）を印加してフォーカルコニックリセット状態にし、その直後に同じく２６０Ｖ程度のＤＣパルスを１０ｍＳ印加した場合を想定する。この場合にも、各表示層７ａ，７ｂに約１３０Ｖの調整電圧Ｖ２が印加され、表示層７ｂはフォーカルコニック相の状態を維持し、表示層７ａはホメオトロピック相に相変化した後、印加電圧解除と共にプレーナ相に相変化する。
このように、各リセット状態からの挙動の違いを利用することで、各表示層７ａ，７ｂを１つの駆動信号により独立に制御することができ、実質的に上閾値における動作マージンを確保することができる。
【０１２２】
すなわち、書き込み工程で書き込み電圧の大きさ（３００Ｖまたは１２０Ｖ）を適宜選択するだけでは、表示層７ａが不適切な相状態に相変化してしまうような場合であっても、調整電圧印加工程の操作が為されることで、表示層７ｂはプレーナ相の選択反射状態とフォーカルコニック相の選択透過状態とを選択的に書き込んだ状態が維持され、表示層７ａは結果的に全て所望とするプレーナ相状態にすることができる。
【０１２３】
書き込み工程および調整電圧印加工程の動作（操作）をまとめると、図１１を参考に以下に説明する通りである。
：書き込み工程：
書き込み工程においては、表示層７ｂにおける上閾値を超える電圧Ｖ１Hおよび超えない電圧Ｖ１Lの２種類の大きさで、同一周波数ＦV1の電圧書き込み電圧Ｖ１を所定時間ＴV1選択的に印加して、表示層７ｂにおける上閾値を超える部位または超えない部位の選択を行う。その結果、表示層７ｂは、上閾値を超える部位はホメオトロピック相に、上閾値を超えない部位はフォーカルコニック相に、それぞれなる。
【０１２４】
このとき、表示層７ａについては、一般的な閾値シフト法では、全てがホメオトロピック相になっていることが望まれるが、本実施形態では、上閾値における動作マージンが確保されておらず、ホメオトロピック相とフォーカルコニック相とが混在した状態になっている
【０１２５】
：調整電圧印加工程：
調整電圧印加工程においては、上記書き込み工程に続いて連続的に、直流である調整電圧Ｖ２を表示層７ａ，７ｂに印加する。表示層７ａ，７ｂの調整電圧Ｖ２に対する影響は、図１２および図１３を用いて説明した通りであり、調整電圧Ｖ２を印加後、フォーカルコニック相状態の表示層７ａのみがホメオトロピック相に相変化し、表示層７ｂは選択されたホメオトロピック相およびフォーカルコニック相の状態がそのまま保持される。
【０１２６】
そして、印加された電圧が解除された時に、全面がホメオトロピック相となっている表示層ａと、表示層ｂにおけるホメオトロピック相が選択されている部位とが全て、プレーナ相状態に相変化し、表示層ｂにおけるフォーカルコニック相が選択されている部位はそのまま変化しない。つまり、表示層ｂに関して、プレーナ相による反射とフォーカルコニック相による透過との書き込み工程での選択は、そのまま保持される。
【０１２７】
このようにして、書き込み工程で、表示層７ｂに対し上閾値において選択的に書き込むことができ、調整電圧印加工程で、表示層７ａの全てをプレーナ相状態にすることができ、当該表示層７ａについては、次工程である第２の書き込み工程で下閾値において選択的に書き込まれる。
【０１２８】
（第２の書き込み工程）
以上が、本発明に特有の調整電圧印加操作までの工程であり、本応用発明において、以降の第２の書き込み工程の操作については閾値シフト法として公知の手法により行えば問題ないのであるが、下閾値での書き込み時にも動作マージンを十分に確保して、安定的な閾値シフト駆動を実現することが望まれる。
【０１２９】
そのため、本実施形態においては、第２の書き込み工程の操作において印加する電圧（以下、単に「第２書き込み電圧」という場合がある。）Ｖ３HおよびＶ３Lの周波数ＦV3を、前記書き込み工程における書き込み電圧Ｖ１HおよびＶ１Lの周波数ＦV1に比して小さい（ＦV3＜ＦV1）ものとしている。
【０１３０】
当該本実施形態における第２の書き込み工程での動作（操作）について説明する。
前記表示層７ａ，７ｂを電気的に直列に接続し、任意の波形を出力できる外部電源から電圧パルスを印加した。ここで、下閾値動作時は５Ｈｚの矩形パルスを２００ｍｓ間印加した。
【０１３１】
図１５に、直列接続した表示層ａ，ｂの両端に５Ｈｚパルス電圧を印加したときの光学特性をグラフにて示す。図１５において、縦軸は各表示層の最大Ｙ値を１、最小Ｙ値を０としたときの正規化Ｙ値を表し、横軸は印加パルス電圧の値を表す。Ｙ値の測定は、パルス電圧の印加を解除してから行った。図１５のグラフを見てわかるように、各表示層７ａ，７ｂにおける下閾値電圧の値に明確なズレが生じている。
【０１３２】
また、図１６に、直列接続した表示層７ａ，７ｂの両端に５０Ｈｚパルス電圧および２６０Ｖの調整電圧を印加したときの光学特性をグラフにて示す。図１６における縦軸と横軸も、図１５の場合と同様である。図１６のグラフを見ると、各表示層ａはパルス電圧の大きさによらず常に反射状態であり、表示層ｂのみがパルス電圧に対して応答していることから、調整電圧の効果によって上閾値の動作マージンを十分に確保できていることがわかる。
【０１３３】
５Ｈｚのような周波数が比較的低いパルスの場合、各表示層に印加される分圧比は瞬間的な容量分圧から漏れ電流による抵抗分圧に緩和し、表示層７ａ，７ｂ間の抵抗値差の影響が現れる。低誘電率・高抵抗側の表示層７ａに、より大きな電圧が印加されるため、各表示層７ａ，７ｂの動作閾値を異ならせることで、下閾値における動作マージンを十分に確保することができる。
【０１３４】
一方、５０Ｈｚのような周波数が比較的高いパルスの場合、各表示層７ａ，７ｂへの分圧比は抵抗分圧に緩和せず、表示層７ａ，７ｂ間の容量比がほぼそのまま分圧比として表れる。前述のように、上閾値については、本発明に特有の調整電圧印加操作によって実質的に動作マージンが確保されるため、表示層７ａ，７ｂ間の容量比は調整電圧の分圧比を考慮するだけでよく、両表示層の容量に大きな差を敢えて持たせる必要がない。
【０１３５】
上で作製した各表示層７ａ，７ｂの反射スペクトルを図１７および図１８に示す。各表示層７ａ，７ｂとも約２５％の高反射率が得られており、反射率を損なうことなく閾値シフト駆動ができることを、上記検証試験により実証することができた。
【０１３６】
この２層の表示層７ａ，７ｂを積層して、図３に記載の表示媒体１を得た場合、既述の「書き込み工程」および「調整電圧印加工程」の動作に引き続き、下記「第２の書き込み工程」の動作が為されることにより、十分な反射率を持たせながら、上下閾値共に十分な動作マージンが確保され、安定的な閾値シフト駆動が実現される。
【０１３７】
なお、以下の説明では、背景技術の項において用いた図２７のグラフを用い、表示層１０７ａ，１０７ｂを、本実施形態における表示層７ａ，７ｂに見立てて説明する。当該グラフは、その形状が表示層７ａ，７ｂを積層して得た表示媒体１の場合と厳密には異なるものの、各工程の動作を説明するには十分に代用できるものである。
【０１３８】
既述の「書き込み工程」の動作および「調整電圧印加工程」の動作によって、表示層７ｂの部位ごとに相の選択が為され、また、表示層７ａが全面プレーナ相に揃えられた後、表示層７ａの下閾値Ｖｐｆａよりも低いＶａ間の電圧、または表示層７ａの下閾値Ｖｐｆａよりも高く表示層７ｂの下閾値Ｖｆｐｂより低いＶｂ間の電圧を、周波数５Ｈｚパルス波形で選択的に印加する。表示層ａでは、Ｖｂ間の電圧を印加した部位は下閾値Ｖｐｆａを超え、フォーカルコニック相に相変化し、Ｖａ間の電圧を印加した部位は下閾値Ｖｐｆａを超えないため、プレーナ相状態を維持する。
【０１３９】
一方、表示層７ｂでは、いずれの印加電圧であっても下閾値Ｖｆｐｂよりも低いため、上述の如く上閾値で選択されたプレーナ相またはフォーカルコニック相の状態を維持する。
第２の書き込み工程においては、このようにして、表示層７ａの部位ごとに相の選択が為される。
【０１４０】
以上の「書き込み工程」、「調整電圧印加工程」および「第２の書き込み工程」の動作が順次為され、上下閾値の２段階の電圧信号においてそれぞれ、印加する電圧の大小の選択が為され、その組み合わせに応じて、表示層７ａおよび表示層７ｂの内の任意の一方もしくは双方を反射状態、または双方を透過状態とすることができる。このように相が選択されて、反射型液晶表示素子への書き込み（駆動）が為される。
【０１４１】
以上説明したように、本実施形態においては、各表示層７ａ，７ｂの液晶組成を制御しつつ、これに合わせて、調整電圧印加工程において適切な調整電圧を印加しているため、上閾値における動作マージンを実質的に拡大することができ、安定的な閾値シフト駆動を実現することができる。また、下閾値においても第２の書き込み工程における書き込み電圧の周波数を小さくして、抵抗分圧比へ緩和させることで動作マージンを拡大させ、安定的な閾値シフト駆動を実現することができる。
すなわち、本実施形態によれば、各表示層７ａ，７ｂに十分な反射率を持たせながら、上下閾値における動作マージンを拡大し、安定的な閾値シフト駆動を実現することができる。
【０１４２】
［第２の実施形態］
第２の実施形態は、本発明の構成を、光書き込み型で積層型の反射型液晶表示素子の閾値シフト法による駆動方法に適用した［Ａ］の応用発明の例である。
図１９は、本発明の反射型液晶表示素子の駆動方法を適用したシステムの例示的一態様である第２の実施形態の概略構成図である。本実施形態のシステムも、第１の実施形態と同様、表示媒体（反射型液晶表示素子）１’と書き込み装置（反射型液晶表示素子の駆動装置）２’とからなる。ただし、本実施形態では、表示媒体（反射型液晶表示素子）１’として、光導電層を含む構成のものを用いている点が異なり、それに応じて書き込み装置（反射型液晶表示素子の駆動装置）２’の構成も異なっている。
以下の説明では、主として第１の実施形態と、その構成や作用、効果等が異なる点について説明し、第１の実施形態と同一の機能を有する部材には、図中同一の符号を付することによって、適宜その説明を省略することにする。
【０１４３】
＜表示媒体＞
本実施形態において表示媒体とは、アドレス光の照射、バイアス信号の印加によって複数の液晶層（選択反射層）の選択駆動ができる部材であり、具体的には反射型液晶表示素子である。
【０１４４】
本実施形態において、表示媒体１’は、表示面側から順に、透明基板３、透明電極５、表示層（選択反射層）７ｂ、表示層（選択反射層）７ａ、ラミネート層８、着色層（遮光層）９、ＯＰＣ層（光導電体層）１０、透明電極６および透明基板４が積層されてなる物である。すなわち、第１の実施形態における表示媒体１の表示層（選択反射層）７ａと透明電極６との間に、ラミネート層８、着色層（遮光層）９およびＯＰＣ層（光導電体層）１０を介在させた構造となっている。本実施形態に特徴的なこれらの層についてのみ、以下詳細に説明する。
【０１４５】
（ＯＰＣ層）
ＯＰＣ層（光導電体層）１０は、内部光電効果をもち、アドレス光の照射強度に応じてインピーダンス特性が変化する特性を有する層である。交流（ＡＣ）動作が可能であり、アドレス光に対して対称駆動にならなければならない。電荷発生層（ＣＧＬ）が電荷輸送層（ＣＴＬ）の上下に積層された３層構造に形成されてなる。本実施形態では、ＯＰＣ層１０として、図１９における上層から順に上側の電荷発生層１３、電荷輸送層１４および下側の電荷発生層１５が積層されてなる。
【０１４６】
電荷発生層１３，１５は、アドレス光を吸収して光キャリアを発生させる機能を有する層である。主に、電荷発生層１３が表示面側の透明電極５から書き込み面側の透明電極６の方向に流れる光キャリア量を、電荷発生層１５が書き込み面側の透明電極６から表示面側の透明電極５の方向に流れる光キャリア量を、それぞれ左右している。電荷発生層１３，１５としては、アドレス光を吸収して励起子を発生させ、ＣＧＬ内部、またはＣＧＬ／ＣＴＬ界面で自由キャリアに効率良く分離させられるものが好ましい。
【０１４７】
電荷発生層１３，１５は、電荷発生材料（たとえば金属又は無金属フタロシアニン、スクアリウム化合物、アズレニウム化合物、ペリレン顔料、インジゴ顔料、ビスやトリス等アゾ顔料、キナクリドン顔料、ピロロピロール色素、多環キノン顔料、ジブロモアントアントロンなど縮環芳香族系顔料、シアニン色素、キサンテン顔料、ポリビニルカルバゾールとニトロフルオレン等電荷移動錯体、ピリリウム塩染料とポリカーボネート樹脂からなる共昌錯体）を直接成膜する乾式法か、またはこれら電荷発生材料を、高分子バインダー（たとえばポリビニルブチラール樹脂、ポリアリレート樹脂、ポリエステル樹脂、フェノール樹脂、ビニルカルバゾール樹脂、ビニルホルマール樹脂、部分変性ビニルアセタール樹脂、カーボネート樹脂、アクリル樹脂、塩化ビニル樹脂、スチレン樹脂、ビニルアセテート樹脂、酢酸ビニル樹脂、シリコーン樹脂等）とともに適当な溶剤に分散乃至溶解させて塗布液を調製し、これを塗布し乾燥させて成膜する湿式塗布法等により形成することができる。
【０１４８】
電荷輸送層１４は、電荷発生層１３，１５で発生した光キャリアが注入されて、バイアス信号で印加された電場方向にドリフトする機能を有する層である。一般にＣＴＬは、ＣＧＬの数１０倍の厚みを有するため、電荷輸送層１４の容量、電荷輸送層１４の暗電流、および電荷輸送層１４内部の光キャリア電流が、ＯＰＣ層１０全体の明暗インピーダンスを決定付けている。
【０１４９】
電荷輸送層１４は、電荷発生層１３，１５からの自由キャリアの注入が効率良く発生し（電荷発生層１３，１５とイオン化ポテンシャルが近いことが好ましい）、注入された自由キャリアができるだけ高速にホッピング移動するものが好適である。暗時のインピーダンスを高くするため、熱キャリアによる暗電流は低い方が好ましい。
【０１５０】
電荷輸送層１４は、低分子の正孔輸送材料（たとえばトリニトロフルオレン系化合物、ポリビニルカルバゾール系化合物、オキサジアゾール系化合物、ベンジルアミノ系ヒドラゾンあるいはキノリン系ヒドラゾン等のヒドラゾン系化合物、スチルベン系化合物、トリフェニルアミン系化合物、トリフェニルメタン系化合物、ベンジジン系化合物）、または低分子の電子輸送材料（たとえばキノン系化合物、テトラシアノキノジメタン系化合物、フルフレオン化合物、キサントン系化合物、ベンゾフェノン系化合物）を、高分子バインダー（たとえばポリカーボネート樹脂、ポリアリレート樹脂、ポリエステル樹脂、ポリイミド樹脂、ポリアミド樹脂、ポリスチレン樹脂、含珪素架橋型樹脂等）とともに適当な溶剤に分散乃至溶解させて塗布液を調製し、これを塗布し乾燥させて形成すればよい。
【０１５１】
（着色層）
着色層（遮光層）９とは、アドレス光と入射光を光学分離し、相互干渉による誤動作を防ぐ目的で設けられる層であり、本発明において必須の構成要素ではない。ただし、表示媒体１’の性能向上のためには、設けることが望まれる層である。その目的から、着色層９には、少なくともＣＧＬの吸収波長域の光を吸収する機能が要求される。
【０１５２】
着色層９は、具体的には、無機顔料（たとえばカドミウム系、クロム系、コバルト系、マンガン系、カーボン系）、または有機染料や有機顔料（アゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系）をＯＰＣ層１０の電荷発生層１３側の面に直接塗布して形成するか、あるいはこれらを高分子バインダー（たとえばポリビニルアルコール樹脂、ポリアクリル樹脂等）とともに適当な溶剤に分散乃至溶解させて塗布液を調製し、これを塗布し乾燥させて形成することができる。
【０１５３】
（ラミネート層）
ラミネート層８は、ガラス転移点の低い高分子材料からなるものであり、熱や圧力によって表示層７ａ，７ｂと着色層９とを密着・接着させることができる材料が選択される。また、少なくとも入射光、アドレス光に対して透過性を有することが条件となる。
ラミネート層８に好適な材料としては、粘着性の高分子材料（たとえばウレタン樹脂、エポキシ樹脂、アクリル樹脂、シリコーン樹脂）を挙げることができる。
なお、ラミネート層８は、本発明において必須の構成要素ではない。
【０１５４】
＜書き込み装置＞
本実施形態において書き込み装置（反射型液晶表示素子の駆動装置）２’とは、表示媒体１’に画像を書込む装置であり、表示媒体１’に対してアドレス光の照射を行う光照射部（露光装置）１８および表示媒体１’にバイアス電圧を印加する電圧印加部（電源装置）１７を主要構成要素とし、さらにこれらの動作を制御する制御回路１６’が配されてなる。すなわち、第１の実施形態における書き込み装置２に対して、光照射部１８が加わっており、また、制御回路１６’が、電圧印加部１７の動作とともに、光照射部１８の動作をも適宜制御する機能を有している。本実施形態に特徴的な光照射部１８および制御回路１６’についてのみ、以下詳細に説明する。
【０１５５】
（光照射部）
光照射部（露光装置）１８は、像様となる所定のアドレス光パターンを表示媒体１’に照射する機能を有し、制御回路１６からの入力信号に基づき、表示媒体１’上(詳しくは、ＯＰＣ層上）に所望の光画像パターン（スペクトル・強度・空間周波数）を照射できるものであれば特に制限されるものではない。
【０１５６】
光照射部１８により照射されるアドレス光としては、以下の条件のものが好ましく選択される。
・スペクトル：ＯＰＣ層１０の吸収波長域のエネルギーができるだけ多いことが好ましい。
・照射強度：明時に各表示層７ａ，７ｂへの印加電圧がＯＰＣ層１０との分圧により上下閾値の電圧以上となって、表示層７ａ，７ｂ中の液晶を相変化させ、暗時にはそれ以下となるような強度。
光照射部１８により照射されるアドレス光としては、ＯＰＣ層１０の吸収波長域内にピーク強度を持ち、できるだけバンド幅の狭い光であることが望ましい。
【０１５７】
光照射部１８としては、具体的には以下のものが挙げられる。
（１−１）光源（たとえば、冷陰極管、キセノンランプ、ハロゲンランプ、ＬＥＤ、ＥＬ等）をアレイ状に配置したものや、光源と導光板とを組み合せたもの、などの均一な光源
（１−２）光パターンを作る調光素子（たとえば、ＬＣＤ、フォトマスクなど）の組み合わせ
（２）面発光型ディスプレイ（たとえばＣＲＴ、ＰＤＰ、ＥＬ、ＬＥＤ、ＦＥＤ、ＳＥＤ）
（３）上記（１−１）、（１−２）あるいは（２）と光学素子（たとえばマイクロレンズアレイ、セルホックレンズアレイ、プリズムアレイ、視野角調整シート）との組み合わせ
【０１５８】
（制御回路）
制御回路１６’は、外部（画像取り込み装置、画像受信装置、画像処理装置、画像再生装置、あるいはこれらの複数の機能を併せ持つ装置等）からの画像データに応じて、電圧印加部１７および光照射部１８の動作を適宜制御する機能を有する部材である。制御回路１６’による具体的な制御内容については、本発明に特徴的な「書き込み工程（動作）」および「調整電圧印加工程（動作）」と、それに引き続き為される「第２書き込み工程（動作）」の３つの工程（動作）からなるものであり、その詳細については後述することにする。
【０１５９】
＜動作＞
本実施形態においても、表示層の層構成が基本的に同一である第１の実施形態で行った検証試験により十分に、閾値シフト駆動ができることを実証することができている。
【０１６０】
この検証試験に供した２層の表示層７ａ，７ｂを積層して反射型液晶表示素子を得た場合、本発明の反射型液晶表示素子（光導電層を含むもの）の駆動方法による以下に示す「書き込み工程」、「調整電圧印加工程（動作）」および「第２の書き込み工程」の動作が順次為されることにより、十分な反射率を持たせながら、上下閾値共に十分な動作マージンが確保され、安定的な閾値シフト駆動が実現される。
【０１６１】
（書き込み工程）
まず、表示層全体にかかる電圧が、表示層７ｂの上閾値電圧より低く表示層７ａの上閾値電圧より高いバイアス電圧（リセット電圧）を周波数５０Ｈｚパルス波形で印加しつつ、それと同時に、光照射部１８によりアドレス光を選択的に露光して、露光部におけるＯＰＣ層１０の抵抗値を変化（低下）させることで表示層７ａおよび表示層７ｂの分圧を上昇させる。これにより、露光部で、表示層７ａおよび表示層７ｂにかかる電圧が上閾値の電圧を超え、表示層７ｂはホメオトロピック相に相変化する。
また、非露光部への印加電圧はＶｃであるため、表示層７ｂはフォーカルコニック相となる。
【０１６２】
一方、表示層７ａは露光部、非露光部にかかわらずホメオトロピック相となる。しかし、実際には２つの表示層の動作マージンが十分に確保できるとは限らない。本実施形態においても、第１の実施形態と同様、図１４に示されるように、動作マージンが確保されない表示層７ａ，７ｂを用いている。そのため、表示層７ａについては、ホメオトロピック相とフォーカルコニック相とが混在した状態となっている。
【０１６３】
（調整電圧印加工程）
調整電圧印加工程においては、上記書き込み工程に続いて連続的に、直流である調整電圧Ｖ２を表示層７ａ，７ｂに印加する。表示層７ａ，７ｂの調整電圧Ｖ２に対する影響は、第１の実施形態において図１２および図１３を用いて説明した通りなので、調整電圧Ｖ２を印加後、フォーカルコニック相状態の表示層７ａのみがホメオトロピック相に相変化し、表示層７ｂは選択されたホメオトロピック相およびフォーカルコニック相の状態がそのまま保持される。
【０１６４】
そして、印加された電圧が解除された時に、全面がホメオトロピック相となっている表示層７ａと、表示層７ｂにおけるホメオトロピック相が選択されている部位とが全て、プレーナ相状態に相変化し、表示層７ｂにおけるフォーカルコニック相が選択されている部位はそのまま変化しない。つまり、表示層７ｂに関して、プレーナ相による反射とフォーカルコニック相による透過との書き込み工程での選択は、そのまま保持される。
【０１６５】
このようにして、書き込み工程で、表示層７ｂに対し上閾値において選択的に書き込むことができ、調整電圧印加工程で、表示層７ａの全てをプレーナ相状態にすることができ、当該表示層７ａについては、次工程である第２の書き込み工程で下閾値において選択的に書き込まれる。
【０１６６】
（第２の書き込み工程）
以下の説明では、第１の実施形態と同様の理由で、背景技術の項において用いた図２７のグラフを用いて説明する。
書き込み工程並びに調整電圧印加工程の動作が為された後、表示層全体にかかる電圧が、表示層７ａの下閾値Ｖｐｆａよりも低いＶａ間になるようなバイアス電圧（セレクト電圧）を、周波数５Ｈｚパルス波形で印加すると同時に、露光装置で選択的に露光して、書き込み工程の場合と同様に、露光部における表示層７ａおよび表示層７ｂの分圧を上昇させる。これにより、露光部では、表示層７ａおよび表示層７ｂにかかる電圧が下閾値Ｖｐｆａを超え、表示層７ａはフォーカルコニック相に相変化する。また、非露光部への印加電圧はＶａであるため、表示層７ａはプレーナ相状態を維持する。
【０１６７】
一方、表示層７ｂは露光部、非露光部にかかわらずプレーナ相またはフォーカルコニック相状態を維持する。
第２の書き込み工程においては、このようにして、表示層７ａの部位ごとに、相の選択が為される。
【０１６８】
以上の「書き込み工程」、「調整電圧印加工程」および「第２の書き込み工程」の動作が順次為され、上下閾値の２段階の電圧信号を印加しつつ、部位により露光／非露光の選択が為され、その組み合わせに応じて、表示層７ａおよび表示層７ｂの内の任意の一方もしくは双方を反射状態、または双方を透過状態とすることができる。このように相が選択されて、反射型液晶表示素子への書き込み（駆動）が為される。
【０１６９】
以上説明したように、本実施形態においては、光書き込み型の積層型の反射型液晶表示素子に対しても、各表示層７ａ，７ｂの液晶組成を制御しつつ、これに合わせて、調整電圧印加工程において適切な調整電圧を印加しているため、上閾値における動作マージンを実質的に拡大することができ、安定的な閾値シフト駆動を実現することができる。また、下閾値においても第２の書き込み工程における書き込み電圧の周波数を小さくして、抵抗分圧比へ緩和させることで動作マージンを拡大させ、安定的な閾値シフト駆動を実現することができる。
すなわち、本実施形態によれば、光書き込み型の積層型の反射型液晶表示素子であっても、各表示層７ａ，７ｂに十分な反射率を持たせながら、上下閾値における動作マージンを拡大し、安定的な閾値シフト駆動を実現することができる。
【０１７０】
［第３の実施形態］
第３の実施形態は、単層型で光書き込み型の反射型液晶表示素子における明暗コントラスト比向上の目的で適用した［Ｂ］の応用発明の例である。
図２０は、本発明の反射型液晶表示素子の駆動方法を適用したシステムの例示的一態様である第３の実施形態の概略構成図である。本実施形態のシステムも、第１および第２の実施形態と同様、表示媒体（反射型液晶表示素子）１”と書き込み装置（反射型液晶表示素子の駆動装置）２”とからなる。ただし、本実施形態では、表示媒体（反射型液晶表示素子）１”として、光導電層を含み、かつ表示層（選択反射層）が単層構成のものを用いている点が異なり、それに応じて書き込み装置（反射型液晶表示素子の駆動装置）２”の構成も異なっている。
以下の説明では、主として第１および第２の実施形態と、その構成や作用、効果等が異なる点について説明し、第１または第２の実施形態と同一の機能を有する部材には、図中同一の符号を付することによって、適宜その説明を省略することにする。
【０１７１】
＜表示媒体＞
本実施形態において表示媒体とは、アドレス光の照射、バイアス信号の印加によって単一の液晶層（選択反射層）の選択駆動ができる部材であり、具体的には反射型液晶表示素子である。
【０１７２】
本実施形態において、表示媒体１”は、表示面側から順に、透明基板３、透明電極５、表示層（選択反射層）７’、ラミネート層８、着色層（遮光層）９、ＯＰＣ層（光導電体層）１０、透明電極６および透明基板４が積層されてなる物である。すなわち、第２の実施形態における表示媒体１’の表示層７ａ，７ｂの２層構成を単層の表示層７’にした構造となっている。ただし、表示層７’自体は表示層７ａ，７ｂ等と本質的には変わらないので、かかる層の詳細についての説明は割愛する。
【０１７３】
＜書き込み装置＞
書き込み装置についても、本実施形態に特有の動作が施されるように制御回路１６”にて制御される点を除いて、特にその装置構成などは第２の実施形態と同一であるため、当該装置の詳細についての説明は割愛する。
なお、制御回路１６”による具体的な制御内容については、本発明に特徴的な「書き込み工程（動作）」および「調整電圧印加工程（動作）」の３つの工程（動作）のみからなるものであり、その詳細については後述することにする。
【０１７４】
＜動作＞
本実施形態の反射型液晶表示素子の駆動方法、および反射型液晶表示素子の駆動装置の動作（操作）について、簡単な検証実験を交えて、以下に説明する。
図２１は、本実施形態における書き込み工程および調整電圧印加工程での印加電圧の波形を時系列で示すチャートである。図２１に示されるように、この検証においては、書き込み電圧Ｖ１の印加の後に連続してＤＣパルスの調整電圧Ｖ２を印加している。
【０１７５】
まず、書き込み工程において、表示層７’の閾値電圧より低いバイアス電圧（リセット電圧）を周波数５０Ｈｚパルス波形で印加しつつ、それと同時に、光照射部１８によりアドレス光を選択的に露光して、露光部におけるＯＰＣ層１０の抵抗値を変化（低下）させることで表示層７’の分圧を上昇させる。これにより、露光部で、表示層７’にかかる電圧が前記閾値電圧を超え、表示層７’はホメオトロピック相に相変化する。また、非露光部における印加電圧は前記閾値電圧より低いままであるため、かかる部位はフォーカルコニック相となる。
【０１７６】
この書き込み工程に引き続いて連続的に、調整電圧印加工程で高周波の短いパルスの調整電圧Ｖ２を印加する。本実施形態においては、書き込み工程における５０Ｈｚのリセットパルスを印加した直後に、調整電圧印加工程の調整電圧Ｖ２として５ｍｓのＤＣパルスを印加した。５０Ｈｚのリセットパルスの波長が２０ｍｓであるのに対して、調整電圧Ｖ２は極めて短いパルスとなっている。
そして、電圧の印加を解除すると、ホメオトロピック相状態の部位はプレーナ相状態に相変化し、フォーカルコニック相部位はそのままの状態が保持される。
【０１７７】
図２２に、調整電圧印加工程における調整電圧Ｖ２を０Ｖ（調整電圧の印加無し）から１３０Ｖまで１０Ｖ間隔で振った場合の、調整電圧の値と視感反射率Ｙ値との関係を表すグラフを示す。当該図２２においては、ホメオトロピック相状態（ホメオトロピックリセット）となっている露光部と、フォーカルコニック相状態（フォーカルコニックリセット）となっている非露光部の２つのグラフが描かれている。
【０１７８】
図２２のグラフからもわかる通り、ホメオトロピック（Ｈ）リセットにおいて、調整電圧としてＤＣパルスを印加しない場合（０Ｖ）に比して、７０Ｖ〜１００ＶのＤＣパルスを印加した場合の方が高い反射率が得られている。これは、高周波の短いパルスを印加することにより、書き込みに高周波パルスを用いて駆動したのと同様の効果であり、同様の作用が生じたものと推定される。
【０１７９】
以上、３つの好ましい実施形態を挙げて本発明を詳細に説明したが、本発明は以上の実施形態に限定されるものではない。本発明の反射型液晶表示素子の駆動方法乃至駆動装置は、反射型液晶表示素子に対する画像書き込みのための駆動操作とは異なる、別個独立した新たな反射率制御の手法である調整電圧印加操作を提供するものであり、液晶組成を適宜調整することにより、また、調整電圧の印加条件を適宜調整することにより、調整電圧印加操作の影響を制御して、反射型液晶表示素子の駆動の多様性や制御性を向上させるものである。そのため、書き込み工程の後に所定の調整電圧を印加する調整電圧印加工程を含めば、如何なる変形例も本発明の範疇に含まれる。
【０１８０】
また、本発明に特徴的な調整電圧印加操作の具体的な有効利用例としての応用発明［Ａ］および［Ｂ］についても、以上の実施形態に限定されるものではない。
例えば、応用発明［Ａ］については、第１および第２の実施形態の２つの実施形態では、選択反射層（表示層）が２層構成のもののみを具体例として挙げて説明しているが、応用発明［Ａ］において選択反射層は２層に限られるものではなく、３層以上の構成とすることもできる。３層構成として、各層の発色をブルー、グリーンおよびレッドとして加法混色することにすれば、応用発明［Ａ］による簡便な駆動技術によって、容易にフルカラー画像を得ることができる。
【０１８１】
３層構成の選択反射層の場合、上下閾値においては、３つの層それぞれが閾値の電圧の値に差が生じるように調整して反射型液晶表示素子を構成する。ここで、３つの選択反射層をそれぞれ閾値電圧の低いものから順に表示層ａ、表示層ｂおよび表示層ｃとした場合における動作を簡単に説明する。
【０１８２】
図２３は、表示層ａ、表示層ｂおよび表示層ｃにおけるコレステリック液晶の理想的なスイッチング挙動を示すグラフである。図２３のグラフにおいては、説明を容易にするために、上下閾値とも動作マージンが確保されている表示層の組合せを例示している。下閾値のＶｐｆａ〜Ｖｐｆｃおよび上閾値のＶｆｐａ〜Ｖｐｆｃについては、従来技術の項で説明した図２７の場合と同様である。ただし、アルファベットの符号に続いて数字が付されているが、当該数値は正規化反射率の値を示す。
【０１８３】
３層構成の積層型の反射型液晶表示素子を閾値シフト法で駆動させるには、本発明に関わらない一般的な場合には、以下の７つの電圧により、あるいは露光する光の強度により、適宜これら電圧を選択することで、各選択反射層のスイッチングをすることができる。
【０１８４】
・表示層ａの下閾値Ｖｐｆａ９０未満の範囲Ａ中の電圧ａ。
・上記電圧ａを超え、表示層ｂの下閾値Ｖｐｆｂ９０未満の範囲Ｂ中の電圧ｂ。
・上記電圧ｂを超え、表示層ａの上閾値Ｖｆｐａ１０未満の範囲Ｃ中の電圧ｃ。
・上記電圧ｃを超え、表示層ｃの下閾値Ｖｐｆｃ９０未満の範囲Ｄ中の電圧ｄ。
・上記電圧ｄを超え、表示層ｂの上閾値Ｖｆｐｂ１０未満の範囲Ｅ中の電圧ｅ。
・上記電圧ｅを超え、表示層ｃの上閾値Ｖｆｐｃ１０未満の範囲Ｆ中の電圧ｆ。
・表示層ｃの上閾値Ｖｆｐｃ９０を超える範囲Ｇ中の電圧ｇ。
【０１８５】
反射型液晶表示素子が光導電層を含まない場合には、電圧ｅ、電圧ｆおよび電圧ｇを選択して電圧を印加し、その後、電圧ａ、電圧ｂ、電圧ｃおよび電圧ｄを適宜選択して電圧を印加することにより、各選択反射層のスイッチングの有無を選択する。すなわち、印加電圧の大きさを７種類の中から適宜選択することで、各選択反射層の駆動を選択することができ、１度の信号で同時に画像を書き込むことができる。
【０１８６】
一方、反射型液晶表示素子が光導電層を含む場合には、電圧ｅまたは電圧ａを印加した状態で、露光することによって、各選択反射層のスイッチングの有無を選択する。このとき、露光する光の強度を４種類から選択することで、それぞれ所望の閾値の選択反射層について相変化を生じさせるように、露光強度を設計する。
【０１８７】
以上のように設計することで、３つの層を１回の露光で自由にスイッチング状態を選択することができる。すなわち、印加電圧を一定にしておき、露光強度を４種類の中から適宜選択することで、各選択反射層の駆動を選択することができ、１度の信号で同時に画像を書き込むことができる。
【０１８８】
上記スイッチングは、上下閾値においてそれぞれ行われるので、第１および第２の実施形態の例と同様、書き込み工程（動作）、調整電圧印加工程および第２の書き込み工程（動作）の各操作を行う。そして、上閾値において、相状態を選択する予定の無い表示層（少なくとも表示層ａ、場合によって表示層ｂ）については、書き込み工程（動作）の操作の後にホメオトロピック相状態になっていなければならないが、動作マージンが十分に確保できない等の場合には、応用発明［Ａ］の構成が有効であり、実質的に動作マージンを確保することができる。
【０１８９】
３層構成の積層型の反射型液晶表示素子を閾値シフト法で駆動させるのに、応用発明［Ａ］を適用する方法として、以下の方法が挙げられる。
表示層ａ、表示層ｂおよび表示層ｃについて、調整電圧印加操作による影響を適切に制御して液晶層を形成する。具体的には、表示層ａ、表示層ｂ、表示層ｃの順に、調整電圧印加操作による影響を受け難くなるようにする。
【０１９０】
まず、書き込み工程（動作）において、全ての表示層がホメオトロピック相状態またはフォーカルコニック相状態になるリセット電圧を印加する。そして、その直後に、調整電圧印加工程（動作）として、２種類の大きさの電圧でＤＣパルス（調整電圧）を印加する。
【０１９１】
書き込み工程（動作）においてホメオトロピックリセットとした場合は、調整電圧印加の如何に関わらず、全ての表示層がプレーナ相となる。
書き込み工程（動作）においてフォーカルコニックリセットとした場合は、調整電圧として大きい電圧のＤＣパルスを印加した時、表示層ａおよび表示層ｂがホメオトロピック相状態に相変化して最終的にプレーナ相状態となり、表示層ｃはフォーカルコニック相状態を維持する。
【０１９２】
また、同様に書き込み工程（動作）においてフォーカルコニックリセットとした場合で小さい電圧のＤＣパルスを印加した時、表示層ａのみがホメオトロピック相状態に相変化して最終的にプレーナ相状態となり、表示層ｂおよび表示層ｃはフォーカルコニック相状態を維持する。
【０１９３】
すなわち、上閾値における駆動操作について、動作マージンの確保がし難い一般的な閾値シフト法による相状態の選択に代えて、本発明に特徴的な調整電圧印加操作における印加電圧の大小を利用することにより、実質的に上閾値における動作マージンを確保することができる。これにより、第２の書き込み工程（動作）による下閾値の駆動操作も適切に為され、安定的な閾値シフト駆動を実現することができる。
【０１９４】
特に３層構成の場合、３つの層間での動作マージンを確保しなければならず、より材料選択の自由度も低くなりがちであるが、本応用発明のように上閾値での動作マージンの確保のためには、調整電圧印加操作による影響のみを考慮して液晶組成を設計することができるので、材料選択の自由度が格段に拡大するとともに、実質的に極めて広い動作マージンを確保することができる。
すなわち、応用発明［Ａ］は、２層構成であっても勿論優れた効果が奏されるが、各層間の動作マージンを確保しづらい３層以上の構成において、卓越した効果が発現されるものであると言うことができる。
【０１９５】
なお、下閾値における駆動操作は、特に限定されること無く、一般的な閾値シフト法による操作を行えばよい。ただし、下閾値についても動作マージンの確保が望まれる場合には、上下閾値における印加電圧の周波数を異ならせることで、容量分圧に頼ることなく抵抗分圧に緩和させて下閾値における動作マージンを確保することができる。
【０１９６】
この場合、抵抗分圧に緩和させることで誘電率差による材料選択の束縛から解放され、乃至制限が少なくなり、抵抗比による材料選択が可能となる。そして、３層全てにおける高い反射率を持たせながら、安定的な閾値シフト駆動が実現される。つまり、応用発明［Ａ］に加えて、上下閾値における印加電圧の周波数を異ならせて抵抗分圧に緩和させる対応を施すことにより、各層間の動作マージンを確保しづらい３層以上の構成において特に、選択反射層における液晶組成の選択の幅が広がり、かつ駆動の制御性が広がり、高い反射率を持たせながら、安定的な閾値シフト駆動が実現できる。
【０１９７】
なお、応用発明［Ａ］においては、この選択反射層は、２層や３層のみならず、４層以上であっても、上記と同様にして、（光導電体を含まない場合）印加電圧の大きさとその数とを適宜調節することによって、あるいは、（光導電体を含む場合）露光強度とその数とを適宜調節することによって、それぞれの選択反射層のスイッチングを適宜選択することができる。選択反射層の数が増えれば増えるほど、動作マージンの確保が困難となるため、本応用発明［Ａ］は特に有効である。
【０１９８】
その他、当業者は、従来公知の知見に従い、本発明（応用発明［Ａ］および応用発明［Ｂ］を含む。）を適宜改変することができる。かかる改変によってもなお本発明の構成を具備する限り、勿論、本発明の範疇に含まれるものである。
【図面の簡単な説明】
【０１９９】
【図１】調整電圧印加操作による影響を比較的受け易い表示層（選択反射層）における調整電圧の大きさとその後の表示層における反射率との関係を表すグラフである。
【図２】調整電圧印加操作による影響を比較的受け難い表示層（選択反射層）における調整電圧の大きさとその後の表示層における反射率との関係を表すグラフである。
【図３】応用発明［Ａ］に相当する本発明の反射型液晶表示素子の駆動方法を適用したシステムの例示的一態様である第１の実施形態の概略構成図である。
【図４】応用発明［Ａ］に用いられる反射型液晶表示素子における各表示層のコレステリック液晶のスイッチング挙動を示すグラフである。
【図５】応用発明［Ａ］に用いられる反射型液晶表示素子における積層状態の表示層の等価回路を示す回路図である。
【図６】低い周波数の電圧パルスを加えることにより、抵抗分圧比への緩和を図り、分圧比を拡げることができることを説明するためのグラフである。
【図７】低い周波数の電圧パルスを印加した場合、最終パルス印加後に残留電位により生じる波形の乱れを表す、印加電圧と時間との関係を示すグラフである。
【図８】ある液晶組成の表示層（選択反射層）に対して調整電圧印加操作を施した場合の調整電圧の大きさと、その後の表示層における反射率との関係を表すグラフである。
【図９】図８の表示層における液晶組成と図１０の表示層における液晶組成とを半々の割合で混合した液晶組成の表示層（選択反射層）に対して調整電圧印加操作を施した場合の調整電圧の大きさと、その後の表示層における反射率との関係を表すグラフである。
【図１０】図８の表示層における液晶組成とは異なる表示層（選択反射層）に対して調整電圧印加操作を施した場合の調整電圧の大きさと、その後の表示層における反射率との関係を表すグラフである。
【図１１】第１の実施形態における書き込み工程〜調整電圧印加工程間の印加電圧の波形を時系列で示すチャートである。
【図１２】第１の実施形態における検証結果であり、調整電圧印加操作による影響を比較的受け易い表示層について、調整電圧の大きさと得られた表示画像の反射率Ｙとの関係をプロットしたグラフである。
【図１３】第１の実施形態における検証結果であり、調整電圧印加操作による影響を比較的受け難い表示層について、調整電圧の大きさと得られた表示画像の反射率Ｙとの関係をプロットしたグラフである。
【図１４】第１の実施形態の表示媒体における各表示層のコレステリック液晶のスイッチング挙動を示すグラフである。
【図１５】第１の実施形態で作製した反射型液晶表示素子の各表示層を直列接続し、５Ｈｚパルス電圧を印加したときの光学特性を示すグラフである。
【図１６】図１５のグラフと同様にし、パルス電圧の周波数を５０Ｈｚにしたときの光学特性を示すグラフである。
【図１７】第１の実施形態で作製した反射型液晶表示素子の１つの表示層の反射スペクトルを示すグラフである。
【図１８】第１の実施形態で作製した反射型液晶表示素子の他の表示層の反射スペクトルを示すグラフである。
【図１９】応用発明［Ａ］に相当する本発明の反射型液晶表示素子の駆動方法を適用したシステムの他の例示的一態様である第２の実施形態の概略構成図である。
【図２０】応用発明［Ｂ］に相当する本発明の反射型液晶表示素子の駆動方法を適用したシステムの例示的一態様である第３の実施形態の概略構成図である。
【図２１】第３の実施形態における書き込み工程〜調整電圧印加工程間の印加電圧の波形を時系列で示すチャートである。
【図２２】第３の実施形態において、調整電圧印加工程における調整電圧の値と反射率Ｙ値との関係を表すグラフである。
【図２３】閾値シフト法に供される３層構成の積層型の反射型液晶表示素子について、各表示層のコレステリック液晶のスイッチング挙動を示すグラフである。
【図２４】閾値シフト法による画像書き込みの様子を説明するための模式断面図である。
【図２５】コレステリック液晶の分子配向と光学特性の関係を示す模式説明図であり、（Ａ）はプレーナ相、（Ｂ）はフォーカルコニック相、（Ｃ）ホメオトロピック相の各相におけるものである。
【図２６】コレステリック液晶のスイッチング挙動を説明するためのグラフである。
【図２７】閾値シフト法に供される積層型光変調素子における各表示層のコレステリック液晶のスイッチング挙動を示すグラフである。
【図２８】光導電層を含む積層型光変調素子に対する閾値シフト法による画像書き込みの様子を説明するための模式説明図である。
【符号の説明】
【０２００】
１，１’，１”：表示媒体（積層型光変調素子）、  ２，２’，２”：書き込み装置（積層型光変調素子の駆動装置）、  ３，４：透明基板、  ５，６，１０５，１０６：透明電極、  ７ａ，７ｂ，７’，１０７ａ，１０７ｂ：表示層（選択反射層）、  ８：ラミネート層、  ９，１０９：着色層、  １０：ＯＰＣ層（光導電体層）、  １３，１５：電荷発生層（ＣＧＬ）、  １４：電荷輸送層（ＣＴＬ）、  １６，１６’，１６”：制御回路、  １７：電圧印加部（電源装置）、  １８：光照射部（露光装置）、  １９：接触端子、  １０１：積層型光変調素子、  １１０：光導電体層、  １１２：露光装置、  １１７：電源装置
【図１】
2007334254.tif 000003
【図２】
2007334254.tif 000004
【図３】
2007334254.tif 000005
【図４】
2007334254.tif 000006
【図５】
2007334254.tif 000007
【図６】
2007334254.tif 000008
【図７】
2007334254.tif 000009
【図８】
2007334254.tif 000010
【図９】
2007334254.tif 000011
【図１０】
2007334254.tif 000012
【図１１】
2007334254.tif 000013
【図１２】
2007334254.tif 000014
【図１３】
2007334254.tif 000015
【図１４】
2007334254.tif 000016
【図１５】
2007334254.tif 000017
【図１６】
2007334254.tif 000018
【図１７】
2007334254.tif 000019
【図１８】
2007334254.tif 000020
【図１９】
2007334254.tif 000021
【図２０】
2007334254.tif 000022
【図２１】
2007334254.tif 000023
【図２２】
2007334254.tif 000024
【図２３】
2007334254.tif 000025
【図２４】
2007334254.tif 000026
【図２５】
2007334254.tif 000027
【図２６】
2007334254.tif 000028
【図２７】
2007334254.tif 000029
【図２８】
2007334254.tif 000030